(57)【要約】      （修正有）【課題】無線通信システムにおけるマルチメディア同報通信およびマルチキャスト・サービス（ＭＢＭＳ）を提供する。【解決手段】１つの局面では、複数の端末への伝送のための処理データを供給する。（可変レートを有することができる）情報ビットのフレームはマトリクスを実施するバッファに供給される。マトリクスは可変フレーム・レートをサポートするために特定のページング・スキームに基づくパッディング・ビットでパッドされる。フレームはその後パリティ・ビットを供給するために特定のブロック符号に基づいて符号化される。情報ビットとパリティ・ビットとのフレームはその後端末に伝送される。もう１つの局面では、複数の端末へのデータ伝送の送信パワーを制御するために供給される。ＴＰＣストリームは端末から受信され、そしてデータ伝送の送信パワーを調整するために使用された１ストリームの結合パワー制御コマンドを得るために処理される。【選択図】図１
2010136397.tif 000002
【特許請求の範囲】
【請求項１】
無線通信システムにおいて、複数の端末への伝送用のデータを処理するための方法であって、
複数のフレームは可変レートを有することができ、各フレームはマトリクスに供給される他のフレームのそれとは異なる特定数の情報ビットを含むことができる前記複数フレームの情報ビットを、マトリクスを実施するバッファに供給し、
特定のパッディング・スキームに基づいて、前記マトリクスをパッディング・ビットと共にパッドし、及び
複数のパリティ・ビットを供給するために特定の符号に基づいて、複数のフレームの情報ビットを符号化し、前記フレームの情報ビットと前記パリティ・ビットとは複数の端末に送信されることを具備する方法。
【請求項２】
1つのフレームは前記マトリクスの各行に供給され、各行の使用しない部分はパッディング・ビットと共にパッドされる、請求項1記載の方法。
【請求項３】
前記マトリクスの各行は1フレームとして受信されるように期待される最大数の情報ビットに対応するサイズＭを有する、請求項2記載の方法。
【請求項４】
前記マトリクスの各行は1フレームとして受信されるように期待される最大数未満の情報ビットに対応するサイズＭを有する、請求項2記載の方法。
【請求項５】
前記マトリクスの各行は1フレームとして受信されるように期待される平均数の情報ビットに対応するサイズＭを有する、請求項2記載の方法。
【請求項６】
前記マトリクスは固定数フレームの情報ビットを含む、請求項４記載の方法。
【請求項７】
前記マトリクス内の前記複数のフレームを符号化するために使用された前記特定の符号は前記マトリクス内の情報ビットの特定数の行に基づいて選択される、請求項６記載の方法。
【請求項８】
各マトリクスは固定数の情報ビットの行を含む、請求項４記載の方法。
【請求項９】
前記マトリクス内の前記複数のフレームを符号化するために使用された前記特定の符号は前記マトリクス内の複数行を占有する特定数のフレームに基づいて選択される、請求項８記載の方法。
【請求項１０】
前記複数のフレームはパッディング無しで前記マトリクスに供給され、最終行の情報ビットの使用しない部分のみがパッディング・ビットでパッドされる、請求項１記載の方法。
【請求項１１】
前記複数のフレームはブロックと共に前記マトリクス内で符号列方向に符号化される、請求項１記載の方法。
【請求項１２】
前記ブロック符号が線形ブロック符号である、請求項１１記載の方法。
【請求項１３】
前記ブロック符号が組織ブロック符号である、請求項１１記載の方法。
【請求項１４】
情報ビットを有する前記マトリクスの列内のパリティ・ビットのみが前記複数の端末に送信される、請求項１１記載の方法。
【請求項１５】
前記マトリクスの構造を表示する情報を前記複数の端末に送信することをさらに具備する、請求項１記載の方法。
【請求項１６】
無線通信システムにおいて、複数の端末へのデータ伝送の送信パワーを制御するための方法であって、
複数のアップリンク送信パワー制御（ＴＰＣ）ストリームを前記複数の端末から受信し、
前記複数のアップリンクＴＰＣストリームを処理して前記データ伝送用の結合パワー制御コマンドのストリームを得り、及び
前記結合パワー制御コマンドのストリームに基づいて前記データ伝送の前記送信パワーを調整することを具備する方法。
【請求項１７】
単一アップリンクＴＰＣストリームは前記複数の端末の各々から受信される、請求項１６記載の方法。
【請求項１８】
各端末から受信された前記単一アップリンクＴＰＣストリームは前記端末への複数のダウンリンク・データ伝送の送信パワーを制御するためのパワー制御コマンドを含み、前記複数のダウンリンク・データ伝送の１つは前記複数の端末への前記データ伝送である、請求項１７記載の方法。
【請求項１９】
前記単一アップリンクＴＰＣストリームは各パワー制御インターバルのためのパワー制御コマンドを含み、前記パワー制御コマンドは、もしも送信パワーにおける増加が前記複数のダウンリンク・データ伝送のいずれかのために必要であれば、送信パワーを増加させるように設定される、請求項１８記載の方法。
【請求項２０】
各パワー制御インターバルのための前記結合パワー制御コマンドは、そのパワー制御インターバルの前記複数の端末から受信された前記複数のアップリンクＴＰＣストリーム内の複数のパワー制御コマンドに基づいて決定される、請求項１６記載の方法。
【請求項２１】
各パワー制御インターバルのための前記結合パワー制御コマンドは、もしもそのパワー制御インターバルの前記複数のアップリンクＴＰＣストリームにおいて受信されたいずれかのパワー制御コマンドが前記データ伝送のための送信パワーにおける増加を要求するならば、前記データ伝送の前記送信パワーを増加させるように設定される、請求項２０記載の方法。
【請求項２２】
前記複数の端末の各々について、１つのアップリンクＴＰＣストリームはパワー制御されるべき各ダウンリンク・データ伝送のための前記端末から受信される、請求項１６記載の方法。
【請求項２３】
ダウンリンクＴＰＣストリームを前記複数の端末の各々に送ることをさらに具備する、請求項１６記載の方法。
【請求項２４】
複数のダウンリンクＴＰＣストリームは単一パワー制御チャネル上に多重化法で前記複数の端末に送信される、請求項２３記載の方法。
【請求項２５】
前記複数のダウンリンクＴＰＣストリームは前記単一パワー制御チャネル上に時分割多重化法で前記複数の端末に送信される、請求項２３記載の方法。
【請求項２６】
無線通信システムにおいて、複数の端末にデータを同報通信するための方法であって、前記複数の端末への送信用のデータを処理し、
第１の物理チャネル上の前記処理されたデータを前記複数の端末に同報通信し、及び第２の物理チャネル上にあって、前記第１の物理チャネル上に同報通信された前記データを受信するために前記端末により使用される制御情報を前記複数の端末に同報通信することを具備する方法。
【請求項２７】
無線通信システムにおいて、複数の端末にデータを同報通信するための方法であって、時分割多重（ＴＤＭ）物理チャネルにおいて、データを前記複数の端末に同報通信するために使用されるべき複数のフレームを決定し、
前記複数の端末への送信用のデータを処理し、及び
前記処理されたデータを前記ＴＤＭ物理チャネル内の前記複数のフレーム上に同報通信することを具備する方法。
【請求項２８】
前記複数の端末による正確な受信の可能性を改善するために複数フレームに亘って前記処理されたデータの前記同報通信を反復することをさらに具備する、請求項２７記載の方法。
【請求項２９】
前記複数のフレームはデータを同報通信するために指定される、請求項２７記載の方法。
【請求項３０】
前記複数のフレームはデータを同報通信するためにダイナミックに割り当てられる、請求項２７記載の方法。
【請求項３１】
データを同報通信するためにダイナミックに割り当てられた前記複数のフレームを識別するためにシグナリングを送信することをさらに具備する、請求項３０記載の方法。
【請求項３２】
複数フレームの情報ビットをマトリクスを実施するバッファに供給し、前記フレームは可変レートを有することができると共に、各フレームは前記マトリクスに供給された他のフレームのそれとは異なる特定数の情報ビットを含み、
前記マトリクスを特定のパッディング・スキームに基づいてパッディング・ビットと共にパッドし、及び
複数のパリティ・ビットを供給するために特定の符号に基づいて前記複数フレームの情報ビットを符号化し、前記フレームの情報ビットと前記パリティ・ビットとは前記複数の端末に送信されるためのディジタル情報を解釈できるディジタル信号処理装置（ＤＳＰＤ）に通信的に連結されたメモリ。
【請求項３３】
可変レートを有することができ、および各フレームはマトリクスに供給される他のフレームのそれとは異なる特定数の情報ビットを含むことができる複数のフレームの情報ビットを、マトリクスを実施するバッファに供給するための手段と、
前記マトリクスを特定のパッディング・スキームに基づいてパッディング・ビットと共にパッドするための手段と、及び
複数のパリティ・ビットを供給するために特定の符号に基づいて前記複数のフレームの情報ビットを符号化するための手段とを具備し、前記フレームの情報ビットと前記パリティ・ビットとは前記複数の端末に送信されることを無線通信システムにおける装置。
【請求項３４】
可変レートを有することができ、各々は該マトリクスに供給される他のフレームのそれとは異なる特定数の情報ビットを含むことができる複数フレームの情報ビットを、マトリクスを実施するバッファに供給し、
前記マトリクスを特定のパッディング・スキームに基づいてパッディング・ビットと共にパッドし、
複数のパリティ・ビットを供給するために特定の符号に基づいて該複数フレームの情報ビットを符号化し、前記フレームの情報ビットと前記パリティ・ビットとは前記複数の端末に送信されるように動作するＴＸデータ・プロセッサと、及び
複数の端末への送信用の変調された信号を供給するために符号化されたデータを処理するように動作する送信器とを具備する無線通信システムにおける送信器。
【請求項３５】
複数の端末から複数のアップリンク送信パワー制御（ＴＰＣ）ストリームを受信するための手段と、
データ伝送のための結合パワー制御コマンドのストリームを得るために前記複数のアップリンクＴＰＣストリームを処理するための手段と、及び
前記結合パワー制御コマンドのストリームに基づいて前記データ伝送の前記送信パワーを調整するための手段とを具備する無線通信システムにおける装置。
【請求項３６】
複数の端末への伝送用のデータを処理するための手段と、
第１の物理チャネル上の前記処理されたデータを前記複数の端末に同報通信するための手段と、及び
第２の物理チャネル上にあって、第１の物理チャネル上に同報通信された前記データを受信するために前記端末により使用される制御情報を前記複数の端末に同報通信するための手段とを具備する無線通信システムにおける装置。
【発明の詳細な説明】
【技術分野】
【０００１】
本発明は一般にデータ通信に関し、そしてより詳しくは、無線通信システムにおいてマルチメディア同報通信およびマルチキャスト・サービス（ＭＢＭＳ）を実施するための技術に関する。
【背景技術】
【０００２】
無線通信システムは、音声、データ等のような種々のタイプの通信を提供するために広く開発されている。これらのシステムは複数のユーザのための通信をサポートすることができる多重アクセス・システムであってもよく、そして符号分割多重アクセス（ＣＤＭＡ）、時分割多重アクセス（ＴＤＭＡ）、周波数分割多重アクセス（ＦＤＭＡ）、または何か他の多重アクセス技術に基づいてもよい。ＣＤＭＡシステムは、他のタイプのシステム上で、増加されたシステム容量を含むある利点を提供できる。
【０００３】
無線通信システムは種々のタイプのサービスを提供するために設計されている。これらのサービスはポイント・ツー・ポイント・サービス、または音声およびパケットデータのような専用サービスを含んでもよく、それによってデータは送信源（例えば、基地局）から特定の受信端末へ送信される。これらのサービスはまたポイント・ツー・マルチポイント・サービス、またはニュースのような同報通信サービスを含んでもよく、それによってデータは送信源から多数の受信端末へ送信される。
【０００４】
同報通信サービスの特性および要求条件は多くの局面で専用サービス用のそれらとは非常に異なっている。例えば、専用サービスに対しては個別端末に専用の資源（例えば、物理チャネル）が割り当てられる必要がある。これと対比して、共通の資源は同報通信サービスを受信することが期待されるすべての端末のために割り当てられて使用される。さらに、同報通信サービスのための送信は、そのサービスを実施するのに必要な資源量を最小にする一方で、多数の端末がそのサービスを確実に受けることができるように制御される必要がある。
【０００５】
したがって、無線通信システムにおいて、同報通信およびマルチキャスト・サービスから成るＭＢＭＳサービスを実施するための技術について、当分野において要求がある。
【発明の概要】
【０００６】
無線通信システムにおいてＭＢＭＳサービスを実施するための技術がこの中に提供される。これらの技術は同報通信およびマルチキャスト・サービス用のポイント・ツー・マルチポイント伝送の種々の局面をカバーする。
【０００７】
１つの局面では、複数の端末（または複数のＵＥ）への伝送用のデータを処理するための１つの方法が提供される。この方法に従うと、複数フレームの情報ビットがマトリクスをインプリメントする(implementing)バッファに供給される。フレームは可変レートを持つことができ、そして各フレームはそのマトリクスに供給される他のフレームのそれとは異なる特定数の情報ビットを含むことができる。マトリクスはフレーム用の可変レートをサポートするために特定のパッディング・スキームに基づいてパッディング・ビットでパッド(padded)される。情報ビットのフレームはその後、複数のパリティ・ビットを供給するために特定の（ブロック）符号に基づいて符号化される。情報ビットのフレームとパリティ・ビットとはその後端末に送信される。
【０００８】
もう１つの局面では、複数の端末への（同報通信およびマルチキャスト）データ伝送の送信パワーを制御するための方法が提供される。この方法に従うと、複数のアップリンク送信パワー制御（ＴＰＣ）ストリームがその端末から受信される。アップリンクＴＰＣストリームはその後データ伝送用の結合パワー制御コマンドのストリームを得るために処理される。データ伝送の送信パワーはその後、結合パワー制御コマンドのストリームに基づいて調整される。
【０００９】
１つの実施形態では、単一アップリンクＴＰＣストリームが各端末から受信される。この単一アップリンクＴＰＣストリームは、その端末への複数のダウンリンク・データ伝送、その１つは複数端末への（同報通信またはマルチキャスト）データ伝送の送信パワーを制御するためのパワー制御コマンドを含むであろう。１つの実施形態では、各端末からの単一アップリンクＴＰＣストリームは、各パワー制御インターバルの間のパワー制御コマンドを含み、それはもしも送信パワーにおける増加が複数のダウンリンク・データ伝送のいずれかのために必要ならば、送信パワーを増加させるように設定される。各パワー制御インターバルの間の結合パワー制御コマンドはその後、そのパワー制御インターバルの間にその端末から受信されたアップリンクＴＰＣストリーム内の“ＯＲ−ｏｆ−ｔｈｅ−ＵＰ”コマンドに基づいて決定される。
【００１０】
ダウンリンクＴＰＣストリームはまた典型的に各端末に送信される。複数の端末用のダウンリンクＴＰＣストリームは単一パワー制御チャネル上に多重化（例えば、時分割多重化）の手段で送信される。
【００１１】
この発明の種々の局面および実施形態は以下にさらに詳細に記述される。この発明はさらに方法、プログラム符号、ディジタル信号プロセッサ、受信器ユニット、送信器ユニット、端末、基地局、システム、および種々の局面、実施形態を実施する他の装置と素子、および以下にさらに詳細に記述されるような特徴を提供する。
【図面の簡単な説明】
【００１２】
【図１】ＭＢＭＳの種々の局面および実施形態を実施できる無線通信システムの図である。
【図２】基地局および端末（またはＵＥ）の１つの実施形態の簡易化したブロック図である。
【図３】Ｗ−ＣＤＭＡに従って、ダウンリンク・データ送信のための基地局での信号処理の図である。
【図４Ａ】第１の外符号構成を示す図であり、これによりゼロ・パッディングは可変レート外符号化を容易にするために使用される。
【図４Ｂ】第２の外符号構成を示す図であり、これによりゼロ・パッディングは可変レート外符号化を容易にするために使用される。
【図４Ｃ】第３の外符号構成を示す図であり、これによりゼロ・パッディングは可変レート外符号化を容易にするために使用される。
【図４Ｄ】第４の外符号構成を示す図であり、これによりゼロ・パッディングは可変レート外符号化を容易にするために使用される。
【図４Ｅ】第５の外符号構成を示す図であり、これによりゼロ・パッディングは可変レート外符号化を容易にするために使用される。
【図４Ｆ】第６の外符号構成を示す図であり、これによりゼロ・パッディングは可変レート外符号化を容易にするために使用される。
【図５Ａ】ＵＥでマルチキャスト・チャネルと専用チャネルとの同時受信のためのチャネル・モデルを示す図である。
【図５Ｂ】ＵＥでマルチキャスト・チャネルのみの受信のためのチャネル・モデルを示す図である。
【図５Ｃ】アップリンク上の専用チャネルのためのチャネル・モデルを示す図である。
【図６】ＵＥによってＭＢＭＳサービスを受信するための処理の１実施形態のフロー図である。
【発明の詳細な説明】
【００１３】
無線通信システムにおいてマルチメディア同報通信およびマルチキャスト・サービス（ＭＢＭＳ）を実施するための技術がこの中に説明される。ＭＢＭＳは、ある内容を多数のユーザ端末に伝送することを試みるポイント・ツー・マルチポイント通信サービス（即ち、同報通信）と、ある内容を特定のグループのユーザ端末に伝送することを試みるサービス（即ち、マルチキャスト）とから成る。ＭＢＭＳについての設計配慮は（音声およびパケットデータのような）ポイント・ツー・ポイント通信サービスのそれとは異なっており、それはセルラ通信システムによって共通に提供される。ＭＢＭＳについての種々の配慮および設計の特色は以下に詳細に説明される。
【００１４】
Ａ．システム
図１はＭＢＭＳの種々の局面および実施形態を実施できる無線通信システム１００の図である。システム１００は多数の地理的な領域１０２についてカバレッジを与える多数の基地局１０４を含む。基地局はまた基地トランシーバ・システム（ＢＴＳ）、アクセス・ポイント、ノードＢ、または何か他の用語で呼ばれる。基地局はＵＭＴＳ無線アクセス・ネットワーク（ＵＴＲＡＮ）の部分である。基地局および／またはそれのカバレッジ・エリアはまたしばしば、その用語が使用される文脈によって、セルと呼ばれる。
【００１５】
図１に示されるように、種々の端末１０６はシステム全体を通して分散される。端末はまた移動局、ユーザ装置（ＵＥ）、または何か他の用語で呼ばれる。各端末１０６は、その端末がアクティブであるか否かおよびそれがソフト・ハンドオーバにあるか否かによって、いずれか与えられた時点にダウンリンクおよびアップリンク上で１つまたはそれ以上の基地局１０４と通信できる。ダウンリンク（即ち、順方向リンク）は基地局から端末への伝送を指し、そしてアップリンク（即ち、逆方向リンク）は端末から基地局への伝送を指す。
【００１６】
図１に示される例では、基地局１０４ａはダウンリンクで端末１０６ａおよび１０６ｂに送信し、基地局１０４ｂは端末１０６ｃ、１０６ｄ、１０６ｅ、および１０６ｌに送信する、等である。端末１０６ｃはソフト・ハンドオーバにあり、そして基地局１０４ｂおよび１０４ｄからの伝送を受信する。図１では、矢印付きの実線はユーザ特有の（または専用の）基地局から端末へのデータ伝送を示す。矢印付きの破線は端末がパイロット、シグナリング、および多分ＭＢＭＳサービスを受信しているが、しかし基地局からユーザ特有のデータ伝送を受信していないことを示す。アップリンク通信は簡単のため図１に示されない。
【００１７】
この中に記述されるようにＭＢＭＳは種々の無線通信システムにおいて実施されることができる。そのようなシステムは符号分割多重アクセス（ＣＤＭＡ）、時分割多重アクセス（ＴＤＭＡ）、および周波数分割多重アクセス（ＦＤＭＡ）通信システムを含んでもよい。ＣＤＭＡシステムは、Ｗ−ＣＤＭＡ、ＩＳ-９５、ＩＳ−２０００、ＩＳ−８５６、およびそれ以外のもののような１つまたはそれ以上の一般に知られているＣＤＭＡ標準を実施するように設計されてもよい。明快のために、ＭＢＭＳについての種々の実施の形態の詳細はＷ−ＣＤＭＡシステムとして説明される。
【００１８】
図２は基地局１０４と端末１０６との１つの実施形態の簡略化されたブロック図である。基地局１０４では、ダウンリンク上で、送信（ＴＸ）データ・プロセッサ２１４は、データ・ソース２１２からユーザ特有の(user-specific)データ、ＭＢＭＳサービス用のデータのような種々のタイプのトラフィックおよびコントローラ２３０からメッセージ等を受信する。ＴＸデータ・プロセッサ２１４はその後フォーマットし、そして符号化データを供給するために１つまたはそれ以上の符号化スキームに基づいてそのデータおよびメッセージを符号化する。
【００１９】
符号化データはその後変調器（ＭＯＤ）２１６に供給され、そして変調データを発生するためにさらに処理される。Ｗ−ＣＤＭＡに関して、変調器２１６による処理は、（１）ユーザ特有のデータ、ＭＢＭＳデータ、およびメッセージを物理チャネル上にチャネル化するために、直交可変拡散ファクタ（ＯＶＳＦ）符号付きの符号化データを、“拡散する”、および（２）スクランブリング符号付きのチャネル化データを“スクランブルする”。変調データはその後送信器（ＴＭＴＲ）２１８に供給され、そしてアンテナ２２０を経由し無線通信チャネルを通した端末への送信に相応したダウンリンク変調信号を発生するために調節(conditioned)（例えば、１つまたはそれ以上のアナログ信号への変換、増幅、フィルタ、および直交変調）される。
【００２０】
端末１０６では、ダウンリンク変調信号はアンテナ２５０によって受信されて、受信器（ＲＣＶＲ）２５２に供給される。受信器２５２はこの受信信号を調節(例えば、フィルタ、増幅、およびダウンコンバート)し、そしてデータ・サンプルを供給するためにこの調節信号をディジタル化する。復調器（ＤＥＭＯＤ）２５４はその後再生記号(recovered  symbols)を供給するためにこのデータ・サンプルを受信して処理する。Ｗ−ＣＤＭＡに関して、復調器２５４による処理は、（１）このデータを端末によって使用された同じスクランブル符号でデスクランブルする。（２）この受信データとメッセージとを固有の物理チャネル上にチャネル化するためにこのデスクランブル・サンプルを逆拡散する、および（３）このチャネル化データを受信信号から再生されたパイロットで（多分）コヒーレントに復調する。受信（ＲＸ）データ・プロセッサ２５６はその後、ユーザ特有のデータ、ＭＢＭＳデータ、および基地局によってダウンリンク上に送信されたメッセージを再生するためにこの記号を受信して、復号する。
【００２１】
コントローラ２３０および２６０はそれぞれ、基地局および端末での処理を制御する。各コントローラはまた、この中に記述された使用についてトランスポート・フォーマットの組合わせを選択するために処理の全部または一部を実施するように設計されてもよい。コントローラ２３０および２６０によって必要とされるプログラム符号とデータとは、メモリ２３２および２６２内にそれぞれ蓄積される。
【００２２】
図３は、Ｗ−ＣＤＭＡに従う、基地局でのダウンリンク・データ伝送についての信号処理の図である。Ｗ−ＣＤＭＡシステムの上位信号層は、特定の端末への（または特定のＭＢＭＳサービスのための）１つまたはそれ以上のトランスポート・チャネル上のデータ伝送をサポートする。各トランスポート・チャネルは１つまたはそれ以上のサービスのためのデータを運ぶことができる。これらのサービスは、この中では集合的に“データ”と呼ばれる、音声、ビデオ、パケットデータ等を含むことができる。伝送されるべきデータは、より高位の信号層で１つまたはそれ以上のトランスポート・チャネルとして初めに処理される。トランスポート・チャネルはその後端末（またはＭＢＭＳサービス）に割り当てられた１つまたはそれ以上の物理チャネルにマップされる。
【００２３】
各トランスポート・チャネルのためのデータは、そのトランスポート・チャネルのために選択されたトランスポート・フォーマット（ＴＦ）（単一のＴＦが任意の与えられた時点で選択される）に基づいて処理される。各トランスポート・フォーマットは、それを通してトランスポート・フォーマットが各トランスポート・ブロックのデータのサイズ、各伝送時間インターバル（ＴＴＩ）内のトランスポート・ブロックの数、ＴＴＩの間に使用されるべき符号化スキーム等を適用するＴＴＩのような種々の処理パラメータを規定する。ＴＴＩは１０ｍｓ、２０ｍｓ、４０ｍｓ、または８０ｍｓと指定され得る。各ＴＴＩは、ＴＴＩ用のトランスポート・フォーマットによって指定されるように、等サイズのトランスポート・ブロックＮBを有するトランスポート・ブロック・セットを送信するために使用される。各トランスポート・チャネルについて、トランスポート・フォーマットはＴＴＩからＴＴＩへダイナミックに変更することができ、そしてトランスポート・チャネル用に使用されるトランスポート・フォーマットのセットはトランスポート・フォーマット・セット（ＴＦＳ）と呼ばれる。
【００２４】
図３に示されるように、各トランスポート・チャネル用のデータは、各ＴＴＩの間の１つまたはそれ以上のトランスポート・ブロックにおいて、それぞれのトランスポート・チャネル処理セクション３１０に供給される。各トランスポート・チャネル処理セクション３１０内で、各トランスポート・ブロックは１組の巡回冗長検査（ＣＲＣ）ビット（ブロック３１２）を計算するために使用される。ＣＲＣビットはトランスポート・ブロックに付加されて、ブロックエラー検出のための端末で使用される。各ＴＴＩ用の１つまたはそれ以上のＣＲＣ符号化ブロックはその後、共に直列に連結される（ブロック３１４）。もしも連結後のビット総数が符号ブロックの最大のサイズより大きければ、その時そのビットは多数の（等サイズの）符号ブロックにセグメント分けされる。符号ブロックの最大のサイズは、そのＴＴＩの間のトランスポート・チャネルのトランスポート・フォーマットによって指定される、現在のＴＴＩの間の使用のために選択された特定の符号化スキーム（例えば、畳込み、ターボ、または符号化無し）によって決定される。各符号ブロックはその後、符号化ビットを発生するために選択された符号化スキームで符号化されるか、または全然符号化されない（ブロック３１６）。
【００２５】
レート・マッチングはその後、より高位の信号層によって割り当てられ、そしてトランスポート・フォーマットによって指定されたレート・マッチング属性に従って符号化ビット上で実行される（ブロック３１８）。ダウンリンク上では、使用しないビット位置は不連続送信（ＤＴＸ）ビット（ブロック３２０）で埋められる。ＤＴＸビットは送信がターンオフされねばならず、そして実際に送信されない時を指示する。
【００２６】
各ＴＴＩ間のレート・マッチ・ビットはその後、タイム・ダイバーシティを供給するために特定のインターリービング・スキームに従ってインターリービングされる（ブロック３２２）。Ｗ−ＣＤＭＡ標準に従えば、インターリービングは、１０ｍｓ、２０ｍｓ、４０ｍｓ、または８０ｍｓとして選択され得るＴＴＩを通して実行される。選択されたＴＴＩが１０ｍｓより長い時は、そのＴＴＩ内のビットはセグメント分けされ、そして連続的なトランスポート・チャネル・フレーム上にマップされる（ブロック３２４）。各トランスポート・チャネル・フレームは１（１０ｍｓ）物理チャネル無線フレーム周期（または単純に、１“フレーム”）を通して伝送されるべきであるＴＴＩの部分に相当する。
【００２７】
Ｗ−ＣＤＭＡでは、特定の端末（または特定のＭＢＭＳサービス）に送信されるべきデータは、より高位の信号層で１つまたはそれ以上のトランスポート・チャネルとして処理される。トランスポート・チャネルはその後、その端末（またはそのＭＢＭＳサービス）に割り当てられた１つまたはそれ以上の物理（実）チャネルにマップされる。
【００２８】
すべてのアクティブ・トランスポート・チャネル処理セクション３１０からのトランスポート・チャネル・フレームは符号化合成(composite) トランスポート・チャネル（ＣＣＴｒＣＨ）に直列に多重化される（ブロック３３２)。ＤＴＸビットはその後、送信されるべきビット数がデータ伝送のために使用されるべき１つまたはそれ以上の“物理チャネル”上で使用可能なビット位置数と一致するように、多重化無線フレーム内に挿入されることができる（ブロック３３４）。もしも１つより多い物理チャネルが使用されれば、その時ビットはその物理チャネル間でセグメント分けされる（ブロック３３６）。各物理チャネルについての各フレーム内のビットはその後、追加のタイム・ダイバーシティを供給するためにさらにインターリーブされる（ブロック３３８）。インターリーブ・ビットはその後、それらのそれぞれの物理チャネルのデータ部にマップされる(ブロック３４０)。基地局から端末への伝送に適した変調信号を発生するための次の信号処理はこの分野で知られており、この中には記述されない。
【００２９】
以下の用語と頭字語とがこの中で使用される：
・ユーザ装置（ＵＥ）−物理的端末装置およびユーザ・アイデンティティ・モジュールまたはＵＩＭカードの両者を含むエンティティ。
【００３０】
・ＵＭＴＳ地上無線アクセス・ネットワーク−ＵＭＴＳネットワークのアクセス層要素。
【００３１】
・アクセス層（ＡＳ）-無線環境（例えば、周波数、セル・レーアウト等）によって影響されるセルラ・システムの全ネットワーク要素および手順。
【００３２】
・非アクセス層（ＮＡＳ）−無線環境（例えば、ユーザ認証手順、呼制御手順等）と無関係であるセルラ・システムの全ネットワーク要素および手順。
【００３３】
・無線アクセス・ネットワーク（ＲＡＮ）−アクセス層（セル、ノードＢ、およびＲＮＣを含む）の部分である全ネットワーク要素・高速ダウンリンク・パケット・アクセス（ＨＳＤＰＡ）−ダウンリンク内のデータの高速伝送を可能とするＵＴＲＡＮの部分として定義される１組の物理チャネルおよび手順・ＩＰマルチメディア・サービス（ＩＭＳ）−・セッション開始プロトコル（ＳＩＰ）−・無線資源制御（ＲＲＣ）−・公衆陸上移動体ネットワーク（ＰＬＭＮ）−  Ｗ−ＣＤＭＡでは、サービスは、より高位層での論理チャネルであるトランスポート・チャネルを割り当てられる。トランスポート・チャネルはその後、物理層で物理チャネルにマップされる。物理チャネルは、（１）特定の搬送波周波数、（２）送信より前にデータをスペクトルで拡散するために使用される特定のスクランブリング符号、（３）それが他の物理チャネル用のデータと直交するように、（もしも必要ならば）そのデータをチャネル化するために使用される特定のチャネル化符号、（４）（期間を定義する）特定の起動および停止の時刻、およびアップリンク上の（４）、相対位相（０またはπ／２）。これらの種々の物理チャネル・パラメータは適用できるＷ−ＣＤＭＡ標準ドキュメント内に詳細に記述される。
【００３４】
Ｗ−ＣＤＭＡによって定義された以下のトランスポートおよび物理チャネルがこの中で使用される：
・ＢＣＨ−同報通信チャネル
・ＣＣＣＨ−共通制御チャネル
・ＤＣＣＨ−専用制御チャネル
・ＤＣＨ−専用チャネル
・ＤＳＣＨ−ダウンリンク共有チャネル
・ＨＳ−ＤＳＣＨ−高速ダウンリンク共有制御チャネル
・ＨＳ−ＳＣＣＨ−ＨＳ−ＤＳＣＨのための共有制御チャネル
・ＲＡＣＨ−ランダム・アクセス・チャネル
・ＦＡＣＨ−順方向アクセス・チャネル
・ＤＭＣＨ−ダウンリンク・マルチキャスト・チャネル
・ＤＰＤＣＨ−専用物理データ・チャネル
・ＤＰＣＣＨ−専用物理制御チャネル
・ＣＣＰＣＨ−共通制御物理チャネル
・Ｐ−ＣＣＰＣＨ−一次共通制御物理チャネル
・Ｓ−ＣＣＰＣＨ−二次共通制御物理チャネル
・ＤＰＣＨ−（ＤＰＤＣＨおよびＤＰＣＣＨを含む）専用物理チャネル
・ＰＤＳＣＨ−物理ダウンリンク共有チャネル
・ＨＳ−ＰＤＳＣＨ−高速物理ダウンリンク共有チャネル
・ＰＲＡＣＨ−物理ランダム・アクセス・チャネル
・ＰＤＭＣＨ−物理ダウンリンク・マルチキャスト・チャネル
・ＰＣＰＣＨ−物理共通パワー制御チャネル
Ｂ．配備シナリオ
ＭＢＭＳは同報通信とマルチキャスト・サービスとから成る。同報通信は多数のＵＥへのある内容の送信であり、そしてマルチキャストは特定のグループのＵＥへのある内容の送信である。異なる数のＵＥが同報通信およびマルチキャストによってサービスされるべき目標とされるので、データ処理および伝送に関連して異なる配慮が加えられる。このように異なる構成が同報通信およびマルチキャストのために使用される。
【００３５】
ＭＢＭＳは多数のＵＥに伝送されるように意図されている。ＭＢＭＳの規模の経済性は多数のＵＥが同じサービスを受けることができるであろうという事実を頼みにする。このように、ＵＥの能力はＭＢＭＳの設計での重要な入力パラメータである。特に、チャネル構造とマッピングとは最小のＭＢＭＳ能力を有するＵＥがＭＢＭＳサービスを受けることができるように選択される。最小のＭＢＭＳ能力はこのようにＭＢＭＳの設計のための１つの入力である。
【００３６】
サービスの組合わせ
通信システムは、与えられた周波数または搬送波上で、音声、パケットデータ等のような他のサービスに加えて、ＭＢＭＳサービスをサポートする能力を用いて設計されることができる。表１は通信システムによって単一の搬送波上でサポートされることができるＭＢＭＳと他のサービスとのいくつかの組合わせを記録する。
【表１】
2010136397.tif 000003
【００３７】
サービス組合わせ１では、同報通信サービスのみがその搬送波上でサポートされ、そしてＵＥはシステムに登録せずに同報通信サービスを受ける。しかしながら、登録無しに、システムはそのＵＥの存在の認識を持てない。必然的にＵＥは入呼および他のサービスについてシステムによってページ(paged)されない。
【００３８】
サービス組合わせ２では、同報通信サービスのみがその搬送波上でサポートされ、そしてＵＥはシステムへの登録の後に同報通信サービスを受ける。登録を介して、システムはそのＵＥの存在の認識を提供し、そしてＵＥは入呼および他のサービスについてシステムによってページされる。
【００３９】
サービス組合わせ３では、マルチキャスト・サービスのみがその搬送波上でサポートされ、そしてＵＥはシステムへの登録の後にマルチキャスト・サービスを受ける。登録を介して、ＵＥはその後は入呼および他のサービスについてシステムによってページされる。
【００４０】
サービス組合わせ４では、ＭＢＭＳサービスと“専用の”サービスとが搬送波上でサポートされる。ＭＢＭＳサービスは同報通信および／またはマルチキャスト・サービスのいずれかの組合わせを含む。専用サービスは音声サービスまたは何か他のサービスであってもよく、それはＵＥに割り当てられた専用チャネル（ＤＣＨ）の使用によってサポートされる。専用サービスは通信の持続時間の間ＵＥへの専用資源（例えば、ＤＣＨ用のチャネル化符号）の割当てによって特徴づけられる。
【００４１】
サービス組合わせ５では、ＭＢＭＳサービス、専用サービス、および“共有の”サービスがその搬送波上でサポートされる。共有サービスはパケットデータ・サービスまたは何か他のサービスであってもよく、それはダウンリンク共有チャネル（ＤＳＣＨ）の使用によってサポートされる。必要とされるように、共有サービスはＵＥへの共有資源の割当てによって特徴づけられる。
【００４２】
サービス組合わせ６では、ＭＢＭＳサービス、専用サービス、および共有サービスがその搬送波上でサポートされる。共有サービスは高速パケットデータ・サービスまたは何か他のサービスであってもよく、それは高速ダウンリンク共有チャネル（ＨＳ−ＤＳＣＨ）の使用によってサポートされる。
【００４３】
他のサービスの組合わせもまた実施されてよく、そしてこれはこの発明の範囲内にある。
【００４４】
同報通信、マルチキャスト、またはＭＢＭＳサービスのみをサポートするサービス組合わせ（例えば、サービス組合わせ１、２、および３）について、ＵＥは他のサービス（例えば、音声、パケットデータ等）を得るために他の周波数に達する(go)ことが必要かもしれない。各周波数は（１）入呼についてＵＥをページする、（２）システム・メッセージをＵＥに送る、等のために使用されるページング・チャネルと関連付けられる。
【００４５】
ＵＥがページされ得ることを保証するために、タイマーベースの登録が実施される。タイマーベースの登録について、もしもＵＥがもう１つのサービスを受けるために新しい周波数を見に行く(visits)ならば、その時それはその周波数についてそのシステムで登録する。システムでの登録では、その周波数についてそのＵＥ用のタイマーはリセットされる。その後、ＵＥはその周波数をそのままにしても、異なるサービス用のもう１つの周波数に行っても、および同じ周波数に戻ってもよい。以前見に行った周波数に戻ると、その周波数についてＵＥのために維持されたタイマーが検査される。もしもそのＵＥ用のタイマーが終了しなかったならば、その時登録は必要がなく、そしてタイマーはリセットされる。タイマーベースの登録は、ＵＥがそのままにするおよび同じ周波数に戻る各時刻にシステムで再登録せねばならないことを避けるために使用され、それはオーバーヘッド・シグナリングを減少させ、そして性能をさらに改善させる。
【００４６】
同報通信システム用にタイマーベースの登録を実施するための技術は、米国特許出願シリアル番号、第０９／９３３，９７８号、タイトル“同報通信システムにおけるシグナリングのための方法とシステム（Ｍｅｔｈｏｄ  ａｎｄ  Ｓｙｓｔｅｍ  ｆｏｒ  Ｓｉｇｎａｌｉｎｇ  ｉｎ  Ｂｒｏａｄｃａｓｔ  Ｃｏｍｍｕｎｉｃａｔｉｏｎ  Ｓｙｓｔｅｍ）”、２００１年８月２０日出願にさらに詳細に記載されており、それは本出願の譲受人に譲渡され、引用によってこの中に組み込まれる。
【００４７】
周波数割当て
通信システムはダウンリンクのために使用される１つまたはそれ以上の周波数帯を割り当てられることができる。各周波数帯は特定の周波数で搬送波信号（または単純に搬送波）と関連する。搬送波は変調信号を得るためにデータで変調され、それはその後類似の周波数で大気中伝送される。Ｗ−ＣＤＭＡに関して、各搬送波はＷ−ＣＤＭＡ  ＲＡＮチャネルに相当する。
【００４８】
ＭＢＭＳおよび他のサービスは種々の周波数割当てスキームを使用してサポートされることができ、それのいくつかは以下で論じられる。
【００４９】
第１の周波数割当てスキームでは、ＭＢＭＳと他のサービスとはすべて同じ搬送波上でサポートされる。以下にさらに詳細に記述されるように、種々のサービスは種々の物理チャネル上で伝送される。すべてのサービスは同じ搬送波上で伝送されるので、ＵＥは搬送波間を切り換えることなく種々のサービスをモニタし、および／または受けることができる。
【００５０】
第２の周波数割当てスキームでは、ＭＢＭＳと他のサービスとは種々の搬送波の全域で拡散される。このスキームはこれらのサービスのためのシステム容量を増加させるために使用される。ＭＢＭＳサービスを受けているＵＥの数は大きくてもよく、そして複数の搬送波によって供給される付加容量はＭＢＭＳと他のサービスとを同時にサポートするために使用される。
【００５１】
第３の周波数割当てスキームでは、ＭＢＭＳおよび音声サービスは第１の組の１つまたはそれ以上の搬送波でサポートされ、そして他のサービス（パケットデータ）は第２の組の１つまたはそれ以上の搬送波でサポートされる。このスキームは、接近度と利用度とを改善できる。同じ組の搬送波に一緒にアクセスするのに適している束サービス(bundle  service)に使用される。ＭＢＭＳおよび音声サービスは同じ組の搬送波でサポートされるので、利用可能な資源の一部は音声サービスをサポートするのに使用され、そして残りはＭＢＭＳサービスに割り当てられる。音声およびＭＢＭＳサービスを並列にサポートするのに必要な資源は、サービスを受けるＵＥの数と共に増加する。限定された量の資源がＭＢＭＳ用に使用できるので、要求に合致するＭＢＭＳをスケールするための能力(ability  to  scale)は影響を与えられる可能性がある。
【００５２】
第４の周波数割当てスキームでは、ＭＢＭＳは別個の搬送波を介してサポートされる。このスキームはＭＢＭＳサービスのための最高レベルのスケーラビリティ(scalability)を提供する。しかしながら、ＭＢＭＳサービスが別の搬送波上にあるので、もう１つのサービスをＭＢＭＳと同時に受けるために、ＵＥは少なくとも２つの異なる搬送波からの信号を処理する必要があるであろう。これは１つの搬送波上でＭＢＭＳサービスを、そしてもう１つの搬送波上でもう１つのサービスを処理することができる受信器を使用して達成される。
【００５３】
他の周波数割当てスキームも使用されてよく、そしてこれはこの発明の範囲内にある。
【００５４】
第２、第３および第４のスキームについては、複数の搬送波が種々のサービスをサポートするために使用される。空きモード手順およびハンドオーバ手順はＭＢＭＳを考えて設計され、そして適用されることができる。特に、空きモードおよびハンドオーバ手順は、ユーザによって選択されたサービスの機能としてＵＥがいかにその受信器を１つの搬送波からもう１つに切り換えるかを記述すべきである。すでにＭＢＭＳセッションか、もう１つの呼またはデータ・セッションのいずれかに従事している時、特にＭＢＭＳサービスと他の非ＭＢＭＳサービスとが初めに同じ周波数上にない時に、この手順はＭＢＭＳサービスと呼またはデータ・セッションの並列受信の始め方について記述すべきである。
【００５５】
Ｃ．チャネル構造
ＭＢＭＳ情報タイプ
種々のタイプの制御情報およびサービスデータはＭＢＭＳを実施するために伝送される。制御情報は、以下で論じられるように、サービスデータ以外のすべての情報から成る。サービスデータはＭＢＭＳサービスのため伝送されている内容（例えば、ビデオ、データ等）から成る。
【００５６】
ダウンリンクについて、ＭＢＭＳ用の種々のタイプの情報は、次の通り分類される：
・システムレベルＭＢＭＳ情報−この情報は他のＭＢＭＳ制御情報およびＭＢＭＳデータについてどこを捜すかをＵＥに伝える。例えば、この情報はＭＢＭＳ制御チャネルへのポインタを含む。
【００５７】
・共通ＭＢＭＳ制御情報−これはＮＡＳおよびＡＳ  ＭＢＭＳ制御情報（即ち、呼関連のおよびアクセス・ステータス関連の情報）を含む。共通ＭＢＭＳ制御情報は、どのサービスが使用可能か、サービスが伝送される物理チャネル、およびこれらのサービスのために使用された各物理チャネル用のパラメータを、ＵＥに通知する。これらのパラメータは、例えば、そのチャネルのために使用された、レート、符号化、変調、情報タイプ等を含む。
【００５８】
・専用ＭＢＭＳ制御情報−これはＮＡＳおよびＡＳ  ＭＢＭＳセキュリティおよび／またはアクセス制御情報を含む。この情報は、例えば、（それは処理されるべき論理またはトランスポート・チャネルとは無関係であってもよい）安全処理のために使用された秘密キーを含む。
【００５９】
・ＭＢＭＳデータおよび制御−これは同報通信またはマルチキャストおよび他の制御情報であるＭＢＭＳ内容を含む。この制御情報は、例えば、以下で論じられるように、符号化ブロックの構造および／または外部符号のためのパリティ情報を含む。
【００６０】
種々のおよび／または追加のタイプのＭＢＭＳ制御情報もまた定義されてもよく、そしてこれはこの発明の範囲内にある。
【００６１】
アップリンクについて、種々のタイプの情報はＭＢＭＳをサポートするためにＵＥによって送信される。ＭＢＭＳ用のアップリンク情報は次の通り分類される：
・品質フィードバック情報−これは品質の報告、パワー制御等にドライブされた事象を含む。
【００６２】
チャネル構造
種々のタイプのＭＢＭＳ情報は種々の物理チャネル構造を使用して伝送される。１つの実施形態では、各ＭＢＭＳ情報タイプはそれぞれの組の１つまたはそれ以上の物理チャネルを介して伝送される。ダウンリンクＭＢＭＳ情報のための特定のチャネル構造は次の通り実施される：
・システムレベルＭＢＭＳ情報−ＢＣＨ／Ｐ−ＣＣＰＣＨ上にマップされる。
【００６３】
・共通ＭＢＭＳ制御情報−ＣＣＣＨ／Ｓ−ＣＣＰＣＨまたはＤＣＣＨ／ＤＰＣＨあるいは
新しく定義されたトランスポートおよび物理チャネル上にマップされる。
【００６４】
・専用ＭＢＭＳ制御情報−ＤＣＣＨ／ＤＰＣＨ上にマップされる。
【００６５】
・ＭＢＭＳデータおよび制御−Ｓ−ＣＣＰＣＨおよびＨＳ−ＰＤＳＣＨまたは新しく定義
されたトランスポートおよび物理チャネル上にマップされる。
【００６６】
アップリンクＭＢＭＳ情報のための特定のチャネル構造は次の通り実施されることができる：
・品質フィードバック情報−ＲＡＣＨ／ＰＲＡＣＨ、ＤＣＣＨ／ＤＰＣＨまたは新しく定
義されたトランスポートおよび物理チャネル上にマップされる。
【００６７】
上記のチャネル構造は特定の例である。他のチャネル構造および／またはチャネルもまたＭＢＭＳのために定義されてもよく、そしてこれはこの発明の範囲内にある。例えば、ＭＢＭＳデータおよび制御は、Ｗ−ＣＤＭＡによって現在定義されているそれより異なる物理層パラメータ（例えば、種々のフォーマット、変調、多重化等）を有する独立型の(standalone)搬送波上で伝送される。
【００６８】
もう１つの実施形態では、種々のタイプのＭＢＭＳ情報はＵＥに伝送されることができる単一の制御チャネル上で共に多重化されてもよい。ＵＥはその後この制御チャネルを再生し、そして必要な情報を得るために種々のタイプのＭＢＭＳ情報をデマルチプレクスする。
【００６９】
ＭＢＭＳ信号方式
上記されたＭＢＭＳ制御情報は４クラスのシグナリング・データに分類されることができる：
・システム固有−
・セル固有−
・サービス固有−
・ユーザ固有−
ＭＢＭＳ信号方式は種々のスキームに基づいて制御チャネル上にマップされてもよい。
【００７０】
１つのスキームでは、各クラスについてのシグナリング・データはそのシグナリング・データに関する目的地に基づいて制御チャネル上にマップされる。特に、共通制御データは共通チャネル上にマップされてもよく、そして専用制御データは専用チャネル上にマップされてもよい。さらに、全サービスに共通の制御データはサービス独立の共通制御チャネル上にマップされてもよく、そしてサービス固有の制御データはそのサービスデータと共に多重化されてもよい。このスキームは資源利用の表現で最も効率的である可能性がある。
【００７１】
もう１つのスキームでは、共通ＭＢＭＳ制御情報は共通制御チャネル上に送られ、そしてまたそれ自身のＭＢＭＳデータ・チャネル上で、または使用可能な時は専用チャネル上で２倍にされる。このスキームはＭＢＭＳについて複数チャネルを同時にモニタするためのＵＥにとっての要求を避ける。例えば、第１のスキームはＭＢＭＳと音声サービスとを受けるために、ＵＥが２つのＳ−ＣＣＰＣＨ（共通ＭＢＭＳ制御情報用のものとＭＢＭＳサービスデータ用のもの）および１つのＤＰＣＨ（他のサービス用、例えば、音声）を同時に受信することを要求するのに反して、第２のスキームはＵＥがＤＰＣＨに加えてＭＢＭＳ制御とサービスデータとの両者のために１つのＳ−ＣＣＰＣＨのみを受信することを要求するであろう。
【００７２】
Ｄ．チャネル・マッピング
チャネル多重化
ＭＢＭＳサービスは種々の伝送スキームに基づいて伝送される。１つのスキームでは、各ＭＢＭＳサービスは１つの独立の伝送と考えられ、そして（即ち、資源割当ての観点から、あたかもそれが別個のＵＥであったかのように、）別の組の１つまたはそれ以上の物理チャネルを介して送られる。このスキームについては、異なるＭＢＭＳサービスはＡＳレベルで一緒に多重化されない。
【００７３】
第１のスキームはいくつかの利点を提供する。まず第１に、それはＭＢＭＳサービスを受けるのに必要な最小のＵＥ能力上の必要条件をゆるめる。第２に、それはＭＢＭＳカバレッジ・エリア、パワー管理、および自主的なハンドオーバ手順の表現で計画の柔軟性を提供する。特に、すべてのセルが同じＭＢＭＳサービスを提供する必要はなく、そして特定のＭＢＭＳサービスはいずれか指示されたセルによって提供されることができる。
【００７４】
もう１つの伝送スキームでは、複数のＭＢＭＳサービスは同じ組の１つまたはそれ以上の物理チャネル上に一緒に多重化されることができる。
【００７５】
チャネル・マッピング
ＭＢＭＳサービスのタイプによって、種々の資源割当て戦略が考えられてもよい。重要な配慮は、ＭＢＭＳについての資源割当てがセミ・スタティックかダイナミックのいずれかでなければならないことである。
【００７６】
セミ・スタティックな資源割当てスキームは、必要なシグナリングの量に関しては、より強くそして効率的である。資源は正規のベースでＭＢＭＳサービスに割り当てられねばならないので、このスキームは固定レートのＭＢＭＳアプリケーション(例えば、ビデオ、音声等)によく適合する。
【００７７】
ダイナミックな資源割当てスキームは、実施するのにシグナリング・オーバーヘッドを必要とするが、しかし資源のダイナミックな割当てと再割当てとを可能とする。このスキームはデータ転送のような可変レート・サービスのために、より正しく評価される。
【００７８】
両スキームはアクセス層上のそれらの影響およびＵＥの複雑さの観点から評価され、考慮される。
【００７９】
ＭＢＭＳデータは種々の物理チャネル上で伝送されることができる。使用すべき特定の物理チャネルおよび物理チャネルへのＭＢＭＳデータのマッピングは種々のチャネル・マッピング・スキームに基づいて決定されることができる。各チャネル・マッピング・スキームは種々の資源割当ておよび伝送戦略に対応する。次のチャネル・マッピング・スキームがＭＢＭＳのために実施される：
・セミ・スタティック−Ｓ−ＣＣＰＣＨモデル
・ハイブリッド−ＰＤＳＣＨモデル
・ダイナミック−ＨＳ−ＰＤＳＣＨモデル
これらのチャネル・マッピング・スキームの各々は以下にさらに詳細に記述される。
【００８０】
セミ・スタティック・スキーム
セミ・スタティック・スキームでは、特定のＭＢＭＳサービスはそのサービスのために割り当てられて、専用物理チャネル上で伝送される。チャネル割当てはスタティック（またはセミ・スタティック）であり、そして(例えば、同報通信チャネル上で)シグナリングを介してＵＥに確認される。物理チャネルはＳ−ＣＣＰＣＨまたは同様のチャネルであってもよく、それは少なくともトランスポート・フォーマット組合わせインジケータ（ＴＦＣＩ）およびデータビットを含む。ＭＢＭＳに関しては、それにデータが伝送されるＵＥの明確な確認はない。
【００８１】
このチャネル・マッピング・スキームは簡明な方法で実施できる。ＭＡＣ同報通信がＲＮＣ内にあると仮定すると、このスキームはＵＥによって近隣のセルからの同時受信を可能とするであろう。ＭＢＭＳデータは所定のそして既知の（ＭＢＭＳデータに専用の）物理チャネルを介して伝送されるので、ＵＥはこのチャネルをＭＢＭＳ＋音声サービスまたはＭＢＭＳ＋音声＋データ・サービスを受ける他の物理チャネルと並列にモニタする。
【００８２】
ハイブリッド・スキーム
ハイブリッド・スキームでは、特定のＭＢＭＳサービスに関して、サービスのための制御情報は共通制御チャネル上にマップされ、そしてこのサービスのための関連データは共有データ・チャネル上にマップされる。例えば、制御情報はＳ−ＣＣＰＣＨ上にマップされ、そして関連サービスデータはＰＤＳＣＨ上にマップされる。最小量の制御情報（例えば、ＴＦＣＩビット、多分シグナリング・チャネル）は共通制御チャネル上にマップされる。ハイブリッド・スキームはＷ−ＣＤＭＡ標準のリリース９９内に記述されたＤＰＣＨ＋ＰＤＳＣＨ組合わせと同様の方法内のチャネル化符号資源の割当てに、ある柔軟性を提供する。音声チャネルをＭＢＭＳサービスと並列に運用している時、ＴＦＣＩ情報は、Ｗ−ＣＤＭＡ標準によって記述されるように、ＴＦＣＩハード・スプリット・モードを使用してＤＰＣＣＨ上にマップされる。
【００８３】
共有チャネルのＭＡＣエンティティもＲＮＣ内にあることが与えられると、ハイブリッド・スキームは、ＭＢＭＳ伝送が複数のセルを通して調整され得るという意味でセミ・スタティック・スキームと非常に類似しており、それは（下記されるように）端末によるＭＢＭＳデータのソフト・コンバイニングを可能とするであろう。主要な差異は、ハイブリッド・スキームはＭＢＭＳ符号割当てがチャネル再構成手順を行わずにあらゆる伝送間隔を変更させることを可能とするので、ハイブリッド・スキームは符号割当ての表現でより柔軟である。
【００８４】
ダイナミック・スキーム
ダイナミック・スキームでは、ＭＢＭＳはＨＳＤＰＡチャネル構造上にマップされる最善の努力のデータ伝送と考えられる。ＨＳＤＰＡチャネル構造は、特定の多重化スキームを使用している複数のサービス（または受取人）のためにデータを伝送できるチャネル構造である。１つのそのようなチャネル構造は、単一の高速物理チャネルを介して時分割多重化（ＴＤＭ）法でデータを伝送するＨＤＲ（高いデータ・レート）チャネル構造である。この高速物理チャネル用の伝送時間は（２０ｍｓ）フレームに区切られ、各フレームは１６（１．６７ｍｓ）スロットを含む。各スロットは１特定サービスまたはＵＥに割り当てられ、それはフレーム内の１フィールドによって識別される。
【００８５】
ＨＤＲチャネル構造は（１）データ伝送が報告されたチャネル品質と一致するために調整されるように、通信チャネルの品質／条件をシステムに報告し返すべきＵＥのための機構、および（２）これらの削除されたパケットの再送を容易とするために不正確に受信された（即ち、削除された）データ・パケットを報告するための機構を含む。ＨＤＲチャネル構造はＩＳ−８５６に詳細に記述される。
【００８６】
Ｗ−ＣＤＭＡに関して、ＨＳ−ＰＤＳＣＨは多くの属性のＨＤＲチャネル構造を有する物理チャネルであり、そしてこのようにＨＳＤＰＡチャネル構造を実施するために使用される。ＨＳＤＰＡフレームは２ｍｓ長（３スロット）であり、そして各ＨＳＤＰＡフレームは特定のサービスまたはＵＥに割り当てられる。さらに、ＨＳＤＰＡは符号分割多重化（ＣＤＭ）のための符号の木(code  tree)の区切りを可能にする。例えば、各ＨＳＤＰＡフレームについて、あるＵＥ／サービスは３ＳＦ＝１６符号、そしてもう１つは５ＳＦ＝１６符号（ＨＳ−ＰＤＳＣＨチャネルはすべてＳＦ＝１６符号を使用し、ここでＳＦはＨＳ−ＰＤＳＣＨのために使用されたＯＶＳＦ符号のための拡散ファクタを表す）を割り当てられる。ＨＳ−ＰＤＳＣＨは文書３Ｇ  ＴＳ  ２５．２１１  ｖ５．０．０内に詳細に記述される。
【００８７】
ＨＳＤＰＡチャネル構造を使用して、種々のＭＢＭＳサービスは種々のＵＥ  ＩＤ（Ｈ−ＲＮＴＩ）を割り当てられ、そして、多分他のサービスと共に、時分割多重化法で伝送される。種々のＵＥ  ＩＤは、ＭＢＭＳをアクティブに受けているＵＥがこれらのＭＢＭＳサービスを物理層レベルで独特に識別することを可能にする。
【００８８】
ＭＢＭＳは種々の割当てスキームを使用してＨＳＤＰＡチャネル構造を介して伝送される。１つのスキームでは、あるフレームがＭＢＭＳのために割り当てられる。ＵＥはＭＢＭＳフレームを捜すべき所に関して直ちに通知されるので、これはその後、制御情報の量を減少させる。もう１つのスキームでは、フレームはＭＢＭＳのために必要なように、そして多分利用度に基づいて割り当てられる。ＭＢＭＳのために使用されるフレームは関連する制御チャネル、例えば、ＨＳ−ＳＣＣＨを介してＵＥに信号を送られる。
【００８９】
ＵＥはＨＳＤＰＡチャネル構造を介してＭＢＭＳサービスを受けるための能力を持って設計されてもよい。しかしながら、１つの実施形態では、リンク順応(adaptation)は同報通信サービスのためにダイナミックに行われない。これは同報通信サービスが多数のＵＥに伝送され、そして特定のＵＥまたは特定の組のＵＥには伝送されないからである。このように、個別のＵＥからのパケットレベルのフィードバックは要求されないか、または適切でないであろう、そしてＵＥはチャネル品質情報または受信通知(acknowledgement)データを必要としない。
【００９０】
ＵＥはＭＢＭＳサービスのみを受け、そして他のサービスは受けないように動作することができる。この場合、フィードバック情報を通知するためにダウンリンクとアップリンクとの両者上のいずれの専用物理チャネルも動作する必要がない可能性がある。ＵＥはまたＭＢＭＳと非ＭＢＭＳとを同時に受けるように動作する。この場合、もしも特定のＵＥが複数のサービスのための複数のストリームを（例えば、ＨＳ−ＰＤＳＣＨを通して）同時に受信できないならば、その時これらのサービスについての伝送は、ＵＥが同じＨＳＤＰＡフレームで複数のサービスを受けてはならないようにスケジュールされる。
【００９１】
ＨＳ−ＰＤＳＣＨはそれを通してデータがインターリーブされる短時間の持続期間（２ｍｓ）を有する。信頼性を改善するために、同じＭＢＭＳデータはセルのエッジでのＵＥによる正しい受信の可能性を改善するために冗長的に複数回送信される。
【００９２】
ＨＳＤＰＡチャネル構造を使用しているＭＢＭＳ伝送の性能は評価されて、セミ・スタティックおよびハイブリッド・スキームの性能に対して比較される。チャネル資源の最善の利用という結果になるこのスキームは、その後ＭＢＭＳについての使用のために選択される。
【００９３】
Ｗ−ＣＤＭＡに関して、ＨＳ−ＰＤＳＣＨ（ＭＡＣ−ｈｓ）用のＭＡＣエンティティはノードＢ内にある。したがって現存のリリースに基づいて近隣のセルからの同時受信を保証するために（その場合にセルはノードＢのセクタである、ノードＢによって管理されるそれらを除いて）複数のセルからの伝送を調整することは、ＭＡＣエンティティとしては不可能である。
【００９４】
Ｅ．チャネル符号化およびインターリービング
ＭＢＭＳデータのために使用されるコードレート(code  rate)はＭＢＭＳデータを伝送するために使用される物理チャネルの特性を考慮することにより選択される。
【００９５】
ポイント・ツー・ポイント伝送（例えば、音声）について、パワー制御は典型的に、他の伝送への干渉の量を最小にする一方で、望ましいレベルの性能（例えば、１％フレーム・エラーレート）が達成されるように伝送の送信パワーを調整するために使用される。パワー制御ビットは典型的に、ダウンリンク伝送のパワー制御を実施するためにアップリンク上で送信される。
【００９６】
同報通信伝送について、それは伝送をアクティブに受信しているＵＥからのパワー制御ビットを送るためにアップリンク上に多すぎる帯域幅を必要とするので、伝送のために使用される物理チャネルは、急速なパワー制御無しに動作される。もしも急速なパワー制御が使用されなければ、その時ＭＢＭＳデータは改善された性能を供給するためにより低いコードレートで符号化される。しかしながら、より低いコードレートはまたより多い符号化ビットという結果になり、それは伝送するためにより大きいチャネル帯域幅（またはより高いデータレート）を必要とするであろう。より高いチャネル帯域幅はより短いチャネル化符号を使用することによってサポートされ、それはより大きい部分の総符号化資源に対応する。
【００９７】
符号利用対性能(performance  versus  code  utilization)は種々の動作シナリオについて評価されることができる。ある定義された基準に基づいて、性能および符号利用を“最適化する”コードレートは、その後ＭＢＭＳサービスのために使用される。
【００９８】
もしもトレードオフが正（即ち、性能改善がより高い符号利用よりまさる）ならば、その時ｃｄｍａ２０００によって定義されたレート１／５（Ｒ＝１／５）符号のような低レート符号が、Ｗ−ＣＤＭＡによって定義されたレート１／３（Ｒ＝１／３）符号の代わりに使用される。代替として、Ｗ−ＣＤＭＡに現存のレート１／３符号は反復（即ち、符号化データのいくつかまたは全部がより低い効果的な情報点率を得るために繰り返される）とともに使用されてもよい。反復は実施の複雑さは少ない。もしもトレードオフが負であれば、その時同じデータの複数回の反復はＨＳ−ＰＤＳＣＨのためのショート・チャネル・インターリービング・スパン（２ｍｓ）によって必要とされない可能性があるので、ダイナミック・スキームは望ましいレベルの性能を提供しなくてよい。
【００９９】
多数の符号化／インターリービング・スキームの各々の性能（例えば、２ｍｓ＋反復、１０ｍｓインターリービング＋反復、４０ｍｓインターリービング、および８０ｍｓインターリービング）は評価される。最良の性能を提供するスキームがその時ＭＢＭＳ用に使用されるために選択される。
【０１００】
Ｆ．エラー訂正・外符号(outer code)
ＭＢＭＳサービスを受けているＵＥの数が高い時は、受信通知でＭＢＭＳ伝送をサポートすることはできないかまたは実際的ではない。従って、外符号はダウンリンク物理チャネルのリンクレベル性能を高めるようにＭＢＭＳのために使用される。外符号は物理層で実行される符号化に加えて、より高位層で実行される付加的な符号化に相当する。外符号は物理層設計への影響を最小にする方法で（例えば、ソフトウェアまたはファームウェアで）実施されることができる。これはその後外符号が、物理層で外符号をサポートしない現行のチップセットとともに実行されることを可能にするであろう。
【０１０１】
外符号はＭＢＭＳのための付加的なエラー訂正能力を提供する。これは付加データブロックを規則的なインターバルで挿入することによって達成され、それはＵＥが、それを介して付加ブロックが計算されたフレーム内のある数のエラーまで訂正することを可能にする。外符号はエラーがバーストに起こらない時に有利であり、したがって外符号は長い伝送時間をカバーしなければならない。外符号によってカバーされた時間はまたＵＥのバッファリング能力と伝送遅延とを考慮することによって選択されねばならない。
【０１０２】
１つの局面では、外符号は可変レートおよび多分、間欠伝送(intermittent transmission)を調節する能力を用いて設計される。この設計はその後ＭＢＭＳサービスの配信(delivery)に柔軟性を提供するであろう。
【０１０３】
外符号は、リード・ソロモン(Reed-Solomon)符号（それはデータ伝送のために共通に使用される）、ハミング(Hamming)符号、ＢＣＨ（ボース、コーデゥリ、およびホッケンゲム(Bose,Chaudhuri,and  Hocquenghem)）符号、または何か他の符号のような、任意の線形ブロック符号に基づいてインプリメントされ得る。１つの実施形態では、外符号は組織ブロック符号(systematic block code)でインプリメントされ、次により１つの符号化データブロックは、（１）符号化されないデータからなる組織部(systematic portion)、および（２）パリティ・ビットからなるパリティ部(parity portion)を含む。外符号はまた他のタイプの符号(例えば、ＣＲＣ、畳込み符号、ターボ符号等)でインプリメントされることができ、そしてこれはこの発明の範囲内にある。
【０１０４】
１つの(Ｎ，Ｋ)線形ブロック符号器は、Ｎコードシンボルの対応するコードワードを供給するために、（もしもそれが巡回符号であれば特定の組の多項式に従って）各ブロックのＫデータシンボルを符号化する。各シンボルは、使用するために選択された特定の符号に依存している特定数のビットを有する、１つまたはそれ以上のビットから成る。符号の最小距離Ｄはブロックコードの抹消およびエラー訂正能力を決定し、そしてコードパラメータ（Ｎ，Ｋ）はメモリの必要条件を決定する。（Ｎ，Ｋ）ブロックコードが与えられたコードワード内のＴシンボル・エラーとＦ抹消とを同時に訂正することは知られており、ここでＴおよびＦは条件（２Ｔ＋Ｆ）≦（Ｄ−１）に従う。
【０１０５】
Ｗ−ＣＤＭＡでは、サービスはトランスポート・チャネルに割り当てられ、それはより高位層の論理チャネルである。ＭＢＭＳデータの各フレームは初めに、より高位層で組み立てられ（または発生され）、そして伝送時間インターバル（ＴＴＩ）の全体を通した伝送について選定される。しかしながら、１フレームは何か他のユニットのデータであるように定義されてもよく、これはこの発明の範囲内にある。ＴＴＩはそれの全体を通してそのフレームのためのデータがインターリーブされる時間インターバルに相当する。Ｗ−ＣＤＭＡでは、種々のＴＴＩが各トランスポート・チャネルのために選択される。最高位層でのトランスポート・チャネルはその後物理層で物理チャネル上にマップされる。種々の外符号構成はＷ−ＣＤＭＡを参照して下記される。
【０１０６】
図４Ａは第１の外符号構成を示す図であり、それによって可変レート外符号化を容易とするためにゼロパッディングが各フレームのために使用される。ブロック符号化は２ディメンションのＭ×Ｎマトリクス（または符号化ブロック）に基づいて実行される。このマトリクスは外符号によって符号化されるべきデータのブロックについての視覚（または論理）表記である。マトリクスはバッファ（例えば、図２内のメモリ２３２）内にインプリメントされる。第１の外符号構成について、ＭはＭＢＭＳデータのいずれか与えられたフレーム内に伝送され得る最大数のビットに相当する。
【０１０７】
図４Ａに示されるように、フレームのための情報ビットは行毎にＭ×Ｎマトリクスに書かれる。この外符号構成について、情報ビットの各フレームはマトリクスのそれぞれの行に（即ち行当たり１フレーム）書かれ、そして総計Ｋフレームがマトリクスに書かれる。もしもいずれかのフレームのサイズがＭより小さければ、その時対応する行の残りの部分はパッディング・ビットで満たされ、それはオール０、オール１、または何か他の所定のあるいは既知のビットパターンであることができる。パッディング・ビットはダウンリンク上に無線伝送されず、そしてパリティ・ビットを発生するためにのみ使用される。
【０１０８】
外符号器はその後Ｋ行のデータ（それは組織行と呼ばれる）に基づいてＬ追加行のパリティ・ビットを発生する（ここでＬ＝Ｎ−Ｋ）。ブロック符号化について、符号化ブロック内の各列のＫシンボルは、Ｎシンボルの対応する符号語を供給するために選択された（Ｎ，Ｋ）線形ブロックコードで符号化される。使用するために選択されたブロックコードにより、各シンボルは１つまたはそれ以上のビットを含む。組織ブロックコードについて、符号化ブロック内の第１のＫ行はデータ行であり、符号化ブロック内の残りの（Ｎ−Ｋ）行はＫデータ行に基づいて外ブロック符号器によって発生されたパリティ行である。このように、Ｎは符号化ブロック内の行の数に相当し、それは組織とパリティ行との両者を含む。ＫフレームのデータビットとＬ行のパリティ・ビットとはダウンリンク上に無線送信される。
【０１０９】
Ｗ−ＣＤＭＡについて、符号化ブロック内の各フレームはその後ＵＥに無線送信される対応する符号化されたフレームを供給するために物理層でさらに処理される。物理層での処理ステップの１つとして、巡回冗長検査（ＣＲＣ）符号がそのフレームのための情報ビットに基づいて各フレームのために発生される。ＣＲＣ符号は、そのフレームが正しくかまたは誤って（即ち、抹消されて）受信されたかを決定するためにＵＥによって使用される。
【０１１０】
ＵＥでの外ブロック復号化は、各行のために伝送されたＣＲＣ符号の使用で実行される。特に、符号化ブロック内の各受信フレームは、それが良好か抹消されるかを決定するために検査される。もしも符号化ブロック内のすべてのＫフレームが正しく受信されたならば、その時外ブロック復号化が実行される必要はなく、そしてパリティ行は省かれる。もしも符号化ブロック内の少なくとも１フレームが抹消され、そしてブロックコードによって補正され得るならば、その時は十分な数のパリティ行が受信され、そして抹消された行内のエラーを補正するためにブロック復号化において使用される。そしてもしも符号化ブロック内の抹消フレーム数がそのブロックコードのエラー補正能力より大きいならば、その時はブロック符号化は省かれ、そしてエラー・メッセージが送られる。代替として、抹消フレームをブロック復号するために他の技術が試みられてもよい。
【０１１１】
ブロック符号化および復号化は以下の米国特許出願にさらに詳細に記載されており、それはすべて特許出願の譲受人に譲渡され、そして引用されてこの中に組み込まれる：
・シリアル番号［弁護士ドケット第０１０５４４号］、タイトル“線形ブロックコードのための抹消−および−単一−エラー補正復号器（Ｅｒａｓｕｒｅ−ａｎｄ−Ｓｉｎｇｌｅ−Ｅｒｒｏｒ  Ｃｏｒｒｅｃｔｉｏｎ  Ｄｅｃｏｄｅｒ  ｆｏｒ  Ｌｉｎｅａｒ  Ｂｌｏｃｋ  Ｃｏｄｅｓ）”出願 ；
・シリアル番号第０９／９３３，９１２号、タイトル“同報通信サービス通信システム内の外復号器の利用のための方法およびシステム（Ｍｅｔｈｏｄ  ａｎｄ  Ｓｙｓｔｅｍ  ｆｏｒ  Ｕｔｉｌｉｚａｔｉｏｎ  ｏｆ  ａｎ  Ｏｕｔｅｒ  Ｄｅｃｏｄｅｒ  ｉｎ  ａ  Ｂｒｏａｒｄｃａｓｔ  Ｓｅｒｖｉｃｅｓ  Ｃｏｍｍｕｎｉｃａｔｉｏｎ  Ｓｙｓｔｅｍ）”２００２年８月２０日出願；および
・シリアル番号第０９／９７６，５９１号、タイトル“通信システム内の復号化の複雑性の縮小のための方法およびシステム（Ｍｅｔｈｏｄ  ａｎｄ  Ｓｙｓｔｅｍ  ｆｏｒ  Ｒｅｄｕｃｔｉｏｎ  ｏｆ  Ｄｅｃｏｄｉｎｇ  Ｃｏｍｐｌｅｘｉｔｙ  ｉｎ  ａ  Ｃｏｍｍｕｎｉｃａｔｉｏｎ  Ｓｙｓｔｅｍ）”２００１年１０月１２日出願。
【０１１２】
図４Ｂは第２の外符号構成を示す図であり、それによって可変レート外符号化を容易とするためにゼロパッディングが各フレームのために使用され、そして“有用な”パリティビットのみがダウンリンク上に無線送信される。この外符号構成について、ＭはＭＢＭＳデータの与えられたフレームのためのＴＴＩ内に伝送されることができる最大数のビットに基づいて選択されることができる。いくつかの符号化ブロックについて、符号化ブロック内のＫフレームの各々はＭビット未満を含む（即ち、パッディングが符号化ブロック内のすべてのＫフレームのために使用される）。
【０１１３】
図４Ｂに示されるように、Ｋ組織フレームの間の最大フレームはＭmaxビット、ここでＭmax＜Ｍ、を含む。ブロック符号化は、第１の外符号構成と同様に、列方向に行われる。しかしながら、第１のＭmax列のみは情報ビットを含み、そしてこれらの情報ビットのために発生されたパリティ・ビットはＵＥでのエラー補正のために使用される。パッディングを含む残りのＭ−Ｍmax列およびパリティ・ビットはパッディング・ビットに基づいて発生され、そしていずれの有用な情報も運ばない。このように、第２の外符号構成について、パリティ・ビットのＭmax列（即ち、パリティ・ビットの左Ｍmax×Ｌ部分）のみは無線送信され、そしてパリティ・ビットの残りの（Ｍ−Ｍmax）列（即ち、パリティ・ビットの右（Ｍ−Ｍmax）×Ｌ部分）は送信されない。
【０１１４】
第１および第２の外符号構成は１つの実施の形態のためによく適合し、それによってＭＢＭＳデータは専用チャネル（符号資源が絶えずＭＢＭＳサービスに割り当てられるという意味で専用）上にマップされる。ＵＥでは、新フレームはあらゆるＴＴＩを受信され、そしてマトリクス内の対応する行に書き込まれるので、Ｍ×Ｎマトリクスの再構成に関する曖昧さはない。起こる可能性がある曖昧さは、フレームの瞬間レートに依存する各受信フレームのサイズ（即ち、トランスポート・ブロック・セットサイズ、Ｍk）に関連する。レート検出のエラーレートは低く（例えば、１％のかなり下で）あるべきなので、この曖昧さは問題を提起しない。
【０１１５】
図４Ｂに示されるように、平均フレームサイズに対する最大フレームサイズの比率は大きい可能性がある。これはその後、パッディング・ビットで満たされているＭ×Ｎマトリクスの大部分を占めるという結果になるであろう。この場合、比較的多数のパリティ・ビットが比較的少数の情報ビットのために伝送されてもよい。これはその後、使用可能なビットの不十分な使用という結果となるであろう。
【０１１６】
図４Ｃは第３の外符号構成を示す図であり、それによって１フレームはマトリクスの複数行に書き込まれ、そしてブロック符号化はそのマトリクス内の組織行の数に依存する。この構成について、マトリクスのサイズ（またはより詳しくは、行の数）は可変であり、そして入力フレームのサイズに依存する。この構成について、ＭはＭmaxより小さい値として選択される。例えば、Ｍは１フレームのために受信されることを予期された最大ビット数の代わりにフレーム当たりの平均ビット数と等しくなるように選択される。
【０１１７】
第１および第２の外符号構成と同様に、フレーム用の情報ビットはマトリクスの中に行ごとに書き込まれる。Ｍビットより大きい各フレームは、各フレームが整数の行をカバーするようにパッドされている最終行の未使用部分と共に、そのマトリクスの複数の連続した行に、ラップアラウンド様式で書き込まれる。図４Ｃに示されるように、フレーム３はＭビットより多くを含み、そしてパッディング・ビットで満たされている行４の未使用部分と共に、行３および４に書き込まれる。この構成について、各符号化ブロックのために無線送信されるフレーム数は一定であり、そしてＫフレームがＫ′行、ここでＫ≧Ｋ′、に書き込まれる。
【０１１８】
ブロック符号化はそれから第１および第２のスキームと同様に、列方向に行われる。しかしながら、（Ｎ′，Ｋ′）線形ブロックコードは各列のためにＮ′シンボルの符号語、ここでＮ′≧Ｎ、を供給するために使用される。１つの実施形態では、Ｎ′はＮ′＝Ｋ′＋Ｌ′、ここでＬ′≧Ｌ、として選択される。もう１つの実施形態では、Ｎ′はＮ′＝Ｋ′＋Ｌとして選択される。もしもＮ′＝Ｋ′＋Ｌならば、その時同数の(Ｌ)パリティビットがＫ′情報ビットのために使用される。この場合、もしも情報ビット数が増加されれば（即ち、Ｋ′＞Ｋ）、その時ブロックコードは（Ｎ,Ｋ）から（Ｎ′，Ｋ′）に弱められる。
【０１１９】
弱められたブロックコード（即ち、Ｋ′≧Ｋの時）を説明するために、送信器はより高速のフレーム（即ち、複数行をスパンするそれらのフレーム）のためにより高い送信パワーを使用する。代替として、より高い送信パワーはより大きいサイズの符号化ブロック内のすべてのフレームのために使用されてもよい。
【０１２０】
もしもより高速のフレームがＵＥで抹消されると、その時ＵＥは明確な情報無しには符号化ブロックの構造（即ち、どのフレームがどの行に属するか）を知らない可能性がある。符号化ブロックに関する明確なシグナリングは種々の機構を使用してＵＥに送られる。
【０１２１】
第１の機構では、明確なシグナリングはＷ−ＣＤＭＡによって定義されたＴＦＣＩハード分割モード(hard  split  mode)を使用して実施される。ＴＦＣＩは伝送インターバル内で多重化されたトランスポート・ブロックのセットおよびフォーマットを表示する。１トランスポート・フォーマット結合セット（ＴＦＣＳ）は組織ビットのために使用され、そしてもう１つのＴＦＣＳはパリティ・ビットのために使用される。ＴＦＣＩはどのデータが組織かパリティ・ビットかをＵＥに効果的に通知する。第２の機構では、トランスポート・フォーマット・セット(ＴＦＳ)の１サブセットは組織ビットのために使用され、そしてＴＦＳのもう１つのサブセットはパリティ・ビットのために使用される。第３の機構では、明確なシグナリングは組織およびパリティ・ビットのために種々のトランスポート・チャネルを使用することによって実施される。ＴＦＣＩは組織およびパリティ・ビットのために使用されるトランスポート・チャネルに関して異なり得る。第４の機構では、明確なシグナリングは各フレーム内のヘッダで実施され、それはそのフレームが組織またはパリティ・ビットを含むかどうかを示す。第５の機構では、明確なシグナリングは新スロット構造をビット・カテゴリーの帯域内シグナリングで定義することによって実施される。符号化ブロック構造の明確なシグナリングを実施するための他の機構もまた実施されることができ、そしてこれはこの発明の範囲内にある。
【０１２２】
第３の外符号構成について、ＵＥは、異なる数の行（即ち、Ｋ行内のＫフレーム）でラップアラウンド・フレームのないマトリクスについて他のトランスポートフォーマットとなる１つまたはそれ以上のラップアラウンド・フレーム（即ち、Ｋ′行内のＫフレーム）を有する符号化ブロックについてトランスポート・フォーマットを誤って検出する可能性がある。もしもこれが起こると、その時ＵＥで入力データ・バッファは崩壊され、そしてネットワーク側でデータ・バッファと同期外れとなる可能性がある。これを避けるために、そのような事態が起こった時にＵＥはそのデータ・バッファを再同期化できるように、パリティ・ビット（またはこれらのビット数）は（例えば、ネットワークによって）明確に信号表示され(signaled)る。パリティ・ビット情報の明確なシグナリングは、シグナリング・ブロック構造情報について上述された機構のいずれかを使用して実行される。
【０１２３】
図４Ｄは第４の外符号構成を示す図であり、それによって１フレームはＭ×Ｎマトリクスの複数行に書き込まれ、そして同じブロックコードが各符号化ブロックのために使用される。この構成について、マトリクスのサイズは固定され、そしてＭもまたＭmaxより小さくなるように選択される（例えば、Ｍ＝フレーム当たりの平均ビット数）。
【０１２４】
上記の構成と同様に、フレーム用の情報ビットはマトリクスの中に行ごとに書き込まれる。Ｍビットより大きい各フレームは、各フレームが整数の行をカバーするようにパッドされている最終行の未使用部分と共に、Ｍ×Ｎマトリクスの複数の連続した行に、ラップアラウンド様式で書き込まれる。この構成について、Ｋフレーム(即ち、Ｋ−ｉフレーム、ここでｉ≧０)までがマトリクスのＫ行に書き込まれる。ブロック符号化はその後各列についてＮシンボルの符号語を供給するために（Ｎ，Ｋ）線形ブロックコードを使用して列方向に実行される。Ｍ×ＮマトリクスはこのようにＭ行の組織ビットとＬ行のパリティ・ビットとを含む。
【０１２５】
第３の外符号構成と同様に、１つまたはそれ以上のラップアラウンド・フレームを有する符号化ブロックについてのトランスポート・フォーマットを誤って検出する可能性がある。もしもそれが起こると、その時ＵＥ入力データ・バッファは崩壊され、そしてネットワーク・データ・バッファと同期外れとなる可能性がある。ブロック構造および／またはパリティ・ビットに関する明確なシグナリングは上記された種々の明確なシグナリングを使用して送られる。この方法では、トランスポート・フォーマットの誤検出が起こった時にＵＥはそのバッファを再同期することができる。
【０１２６】
図４Ｅは第５の外符号構成を示す図であり、それによって１フレームはＭ×Ｎマトリクスの複数行に書き込まれ、そして異なるブロックコードが符号化ブロック内のフレームに依存して使用される。変動する長さのフレームを有する符号化ブロックについて、その符号化ブロック内のより高速なフレームは誤った受信をさらにする傾向（即ち、より高いフレーム・エラーレートに関連する）がある。もっと多くのビットが与えられたフレームのために送られる時に同様のサービス品質（ＱｏＳ）を保証するために、その符号化ブロック内に１つまたはそれ以上のより高速なフレームがある時にはもっと多くの冗長度がその符号化ブロックに供される。
【０１２７】
上述された他の構成と同様に、フレームのための情報ビットは行ごとにマトリクスに書き込まれる。Ｍビットより大きい各フレームは、各フレームが整数の行をカバーするようにパッドされている最終行の未使用部分と共に、そのマトリクスの複数の連続した行に、ラップアラウンド様式で書き込まれる。例えば、フレーム４はそのマトリクスの行４および５に書き込まれる。この構成について、Ｋフレームまではそのマトリクス内のＫ行に書き込まれる。
【０１２８】
ブロック符号化はその後、各列についてＮ”シンボルの符号語を供給するために（Ｎ”，Ｋ）線形ブロックコードを使用している列方向に行われ、ここでＮ”≧ＮおよびＮ”は符号化ブロックが複数列を占める１つまたはそれ以上のより大きいサイズのフレームを含むかどうかに依存する。もしもどのフレームもラップアラウンドしなければ、その時Ｎ”はＮ”＝Ｎとして選択される。そしてもしも少なくとも１フレームがラップアラウンドし、そして複数列を占めれば、その時Ｎ”はＮ”＝Ｎ＋ｊとして選択され、ここでｊは符号化ブロック内のより大きいサイズのフレームについて同様のＱｏＳを保証するために付加的な冗長度を表す。
【０１２９】
Ｍ×Ｎ”マトリクスはＭ行の組織ビットおよびＬ＋ｊ行のパリティ・ビット、ここでｊ≧０、を含む。このように、パリティ・ビットのｊ外行(extra  row)が発生される。１つの実施形態では、２つの可能性のあるブロックコード（Ｎ，Ｋ）および（Ｎ”，Ｋ）が定義される。
【０１３０】
（Ｎ，Ｋ）ブロックコードはもしもどのフレームもラップアラウンドしなければ使用され、そして（Ｎ”，Ｋ）ブロックコードはもしも少なくとも１フレームがラップアラウンドすれば使用される。もう１つの実施形態では、１セットの２以上のブロックコードが定義され、そしてより大きい冗長度を有するブロックコードはより多数のより大きいサイズのフレームを有する符号化ブロックのために使用される。
【０１３１】
１つの実施形態では、Ｌ＋ｊパリティ行はフレーム当たり１行が送られる。もう１つの実施形態では、そのパリティ行はフレーム当たり１つまたはそれ以上の行が送られる。
【０１３２】
図４Ａ乃至４Ｅに示された外符号構成について、変数の情報ビットが（フレームのサイズに依存して）マトリクスの各行に書き込まれ、そして各行内の残りのビットはパッドされる。ブロック符号化はその後選択されたブロックコードに基づいて列方向に実行される。図４Ａ乃至４Ｅに示されたように、種々の数の情報ビットは各列についてのブロック符号化において使用される。特に、列当たりの情報ビットの数はより小さいサイズのフレームについてのパッディングの使用のため、マトリクスの右側に向かって減少され得る。このように、マトリクスの列を横切る情報ビットへのパリティ・ビットの一様でない分布があり、それはその後、異なる列についての異なるエラー補正能力に相当する。
【０１３３】
図４Ｆは第６の外符号構成を示す図であり、それによって１フレームはＭ×Ｎマトリクスの１つまたはそれ以上の行に書き込まれ、そしてパッディングはマトリクス内の最終フレームを除いては使用されない。
【０１３４】
上記された他の構成と同様に、フレームに関する情報ビットは、マトリクスの左上隅で始まって、行ごとにそのマトリクスに書き込まれる。しかしながら、各フレームについて行に書き入れるためにいかなるパッディングも使用されない。もしもフレームがＭビット未満を含むならば、その時次のフレームについての情報ビットは次の使用可能なビット位置に書き込まれる。例えば、フレーム１は行１の第１の部分に書き込まれ、そしてフレーム２は行１の残りの部分に、そして行２上に続いて書き込まれる。反対に、Ｍビットより大きい各フレームはマトリクスの複数の連続する行に、ラップアラウンド様式で書き込まれる。例えば、フレーム５はマトリクスの行３および４に書き込まれる。この構成について、Ｋ＊フレームはマトリクス内のＫ行に書き込まれ、ここでＫ＊は、符号化ビット内のフレームのサイズに依存して、Ｋと等しいか、より大きいか、またはより小さくてもよい。
【０１３５】
ブロック符号化はその後、各列についてＮ＊シンボルの符号語を供給するために（Ｎ＊,Ｋ）線形ブロックコードを使用している列方向に行われる。Ｎ＊はＮと等しくなる（即ち、Ｎ＊＝Ｎ）ように選択され、または符号化ブロックは複数行を占める１つまたはそれ以上のより大きいサイズのフレームを含むか否かによる。
【０１３６】
ブロック構造および／またはパリティビットに関する明確なシグナリングは上記された種々の機構を使用して送られる。この明確な情報はトランスポート・フォーマットの誤検出が起こった時にそれの入力データ・バッファを再同期化するためにＵＥによって使用される。
【０１３７】
図４Ｃ乃至４Ｆに示された外符号構成はいくつかの利点を提供する。第１に、これらの構成は、（より大きいサイズのフレームを複数の行に書き込むことによって）より高いピーク速度を扱う能力を傷つけること無しに、平均の処理能力に基づいて外符号の構成／選択を可能とする。第２に、これらの構成は、ネットワークが（例えば、残りの行をパッドすること、パリティ・ビットを発生すること、および有用な組織およびパリティ・ビットを伝送することによって）いつでもバッファをフラッシュさせることを可能とする。例えば、ネットワークはＩＰ輻輳によるバッファのアンダーランの場合にバッファをフラッシュさせる。
【０１３８】
Ｇ．パワー制御
ＭＢＭＳサービスの目標の１つは、同じセル内の１以上のＵＥに同じ内容を送信する時に無線資源の使用を効率よくすることである。種々のタイプのＭＢＭＳサービスは、例えば、（１）プライシング(pricing)に関連する聴衆のサイズ、（２）サービスのタイプおよびプライシングに関連するサービス品質（ＱｏＳ）条件、（３）アクセス／課金に関連するサービス・トレーサビリティのような、種々の要因によって、区別される。いくつかのサービスは無料であり、したがって多数のユーザに開放される。これらのサービスは同報通信サービスであり、そして例えば、広告、ＴＶチャネルの再放送、天気予報等を含む。他のサービスは限定された聴衆と厳しいＱｏＳ条件とを有してもよい。これらのサービスはマルチキャスト・サービスを指しており、そして例えば、ペイパーヴュー方式の映画／スポーツ、グループコール等を含んでもよい。
【０１３９】
同報通信サービスについて、ダウンリンク上に一定のパワーで送信された同報通信チャネル（例えば、Ｓ−ＣＣＰＣＨ上のＦＡＣＨ）は、アップリンク上の時々のＲＡＣＨ送信と共に十分である。マルチキャスト・サービスについて、必要なＱｏＳを保証するために１つまたはそれ以上のフィードバック機構を実施することが必要となる可能性がある。ユーザ数が減少するのと同様に、専用チャネルのために使用できる急速なパワー制御の付加された能力のため、マルチキャスト・サービス用に（共通チャネルに対して）専用チャネルを使用することはより有効になる。
【０１４０】
ダウンリンク上のＵＥのための専用チャネルの急速パワー制御は次の通り実施されることができる。専用チャネルは、目標とされたＵＥによる確かな受信のために十分であると評価される初期の送信パワーレベルでセルによって送信される。ＵＥは専用チャネルを受信し、その受信専用チャネルおよび／または何か他のダウンリンク伝送（例えばパイロット）の信号強度を測定し、その受信信号強度を閾値（それはしばしばセットポイントと呼ばれる）に対して比較し、そしてもしも受信信号強度がセットポイント未満であればアップ（ＵＰ）・コマンドを、またはもしも受信信号強度がセットポイント以上であればダウン（ＤＯＷＮ）・コマンドを供給する。信号強度は信号対雑音および干渉電力比（ＳＮＲ）またはパイロットおよび／または他のダウンリンク伝送のチップ当たりエネルギー対総雑音比(Ｅｃ／Ｎｔ)によって示されることができる。セットポイントはダウンリンク伝送
のための特定の望ましいブロックエラー・レート（ＢＬＥＲ）を達成するように調整される。ＵＰまたはＤＯＷＮは各パワー制御インターバルの間決定され、そしてセルに送り返され、よって、それはその後アップかダウンかのいずれかの専用チャネルの送信パワーを調整する。
【０１４１】
アップリンク・パワー制御機構はまたＵＥによって送られたアップリンク伝送（例えば、パワー制御コマンド）の送信パワーを制御するために実施される。このアップリンク・パワー制御機構はダウンリンク専用チャネルのための急速パワー制御機構と同様に実施され、そして送信パワー制御（ＴＰＣ）ストリームはそのアップリンク送信パワーを調整するためにＵＥに送信される。もしも急速パワー制御がマルチキャスト・サービスのために実施されると、その時パワー制御情報は、マルチキャスト・サービスを受けているグループ内の各ＵＥにそれらのアップリンク伝送を調整するためにダウンリンク上に送られる。
【０１４２】
ここに使用されるように、ＴＰＣストリームは任意の形式のパワー制御情報を含むことができる。例えば、ＴＰＣストリームは１ストリームのパワー制御ビット、各パワー制御インターバルについての１ビットを、送信パワーにおける増加（即ち、ＵＰコマンド）または減少（即ち、ＤＯＷＮコマンド）がパワー制御されているデータ伝送（または物理チャネル）のために望ましいかを示している各ビットと共に含んでもよい。他のタイプのパワー制御コマンドもまた送信されてもよく、そしてこれはこの発明の範囲内にある。パワー制御情報もまた他の形式で伝送されてもよく、そしてこれもこの発明の範囲内にある。例えば、ＵＥでの受信信号強度（またはＳＮＲ）はセルに返報されて、パワー制御に使用されてもよい。もう１つの例として、ＵＥで評価されたように、通信チャネルによってサポートされることができる最大レートはセルに返報され、そしてパワー制御および／または他の目的に使用されてもよい。
【０１４３】
ダウンリンク物理チャネル・モデル
マルチキャスト・サービスについて、同じサービスデータまたは内容は１グループのＵＥに送信される。簡明な実施では、サービスデータは異なる物理チャネルを使用している各ＵＥに送信される。たとえそのような物理チャネルが個別にパワー制御されているとしても、いつでも１ユーザ以上があり、同じ情報が複数のＵＥに並列に伝送されるので、有意レベルの重複が現存する。
【０１４４】
この重複を避けるために、フルフレッジ(full−fledged)同報通信スキームと標準専用チャネル・スキームとの間にある無線構成（ＲＣ）が定義されて、マルチキャストのために使用される。この新しい無線構成については、パワー制御情報は、専用チャネルに関する限り同じ方法で、ＵＥによってアップリンク上に送られる。しかしながら、ダウンリンクでは、サービスデータは単一の物理チャネル上に送信されて、マルチキャスト・グループ内の全ＵＥによって受信されるであろう。新ダウンリンク・トランスポート・チャネルはマルチキャスト・サービスデータの伝送のために定義されてもよく、そしてそれは１グループのＵＥによって共同でパワー制御されてもよい。このダウンリンク・トランスポート・チャネルはダウンリンク・マルチキャスト・チャネル（ＤＭＣＨ）と呼ばれる。
【０１４５】
ＤＭＣＨと関連する物理チャネルは物理ダウンリンク・マルチキャスト・チャネル（ＰＤＭＣＨ）である。マルチキャスト・サービスについて、単一のＰＤＭＣＨはそのサービスを受けることを示されたグループ内の全ＵＥのために供給される。この物理チャネルは他の専用チャネルに関する限り同じＱｏＳを達成するためにソフト・ハンドオーバを行う。しかしながら、アクティブ・セットがグループ内の全ＵＥについて同一物である必要がないことは注目されねばならない。特定のＵＥのアクティブ・セットは、ＵＥが現在それから伝送を受信している全セルのリストである。この物理チャネルが伝送されるセルのセットは類似のマルチキャスト・グループ内のＵＥの全アクティブ・セットである。
【０１４６】
図５Ａはソフト・ハンドオーバにおけるＵＥでのマルチキャスト・チャネル（ＤＭＣＨ）と専用チャネル(ＤＣＨ)との同時受信についてのチャネル・モデルを示す図である。トランスポート・チャネルＤＭＣＨとＤＣＨとは物理チャネルＰＤＭＣＨとＤＰＣＨとにそれぞれ関連する。
【０１４７】
この例では、ＵＥはソフト・ハンドオーバにあり、そして３つのセルからの伝送を受信する。マルチキャスト・チャネルについては、同じサービスデータが３セルの全部からＰＤＭＣＨ上に送信される。ＰＤＭＣＨは符号分割多重化（ＣＤＭ）を使用して実施され、そして複数の符号を含んでもよく、その各々は図５Ａでは“Ｐｈｙ  ＣＨ”と表される。複数の符号が使用される時は、ＣＣＴｒＣＨは同じ拡散ファクタを有する複数のＤＰＣＨ上にマップされる。その場合は、第１のＤＰＣＨのみがＤＰＣＣＨを運び、（そしてＤＴＸビットは送信されず、これらの残りのＤＰＣＨのためのＤＰＤＣＨのみが送信されるので）そして各残りのＤＰＣＨはＤＰＣＣＨ内にＤＴＸを含む。３セルからＰＤＭＣＨ上で受信されたデータは、符号化合成トランスポート・チャネル（ＣＣＴｒＣＨ）を形成するために多重化され（ブロック５１２）、それはマルチキャスト・サービスのために使用された１つまたはそれ以上のトランスポート・チャネル用の復号データを供給するためにさらに復号され、そしてデマルチプレクスされる(ブロック５１０)。
【０１４８】
専用チャネルについて、データは３セルの全部からＤＰＣＨ上に送信される。同様に、ＤＰＣＨはＣＤＭを使用して実施され、そして複数の符号を含み、その各々は図５ＡではＰｈｙ  ＣＨと表される。各セルはＤＰＣＨの制御部分（ＤＰＣＣＨ）上に（１）ＵＥからのアップリンク伝送の送信パワーを調整するために使用されるＴＰＣストリーム、および（２）ＤＰＣＨのために使用されるＴＦＣＩをさらに送信する。３セルからＤＰＣＨ上で受信されたデータは、符号化合成トランスポート・チャネルを形成するために多重化され（ブロック５２２）、それはさらに復号され、そして専用チャネル用の復号データを供給するためにデマルチプレクスされる（ブロック５２０）。
【０１４９】
専用チャネルについて、セルによって送信されたＤＰＣＣＨ（例えば、ＴＰＣストリーム）上のパイロットおよび／またはパワー制御情報は、ダウンリンク伝送の品質を決定するためにＵＥによって処理される。この品質情報はＵＥからセルに返送される（アップリンク）ＴＰＣストリームを形成するために使用される。セルはその後ＵＥから受信されたアップリンクＴＰＣストリームに基づいてＵＥに送信されたダウンリンクＤＰＣＨの送信パワーを調整する。
【０１５０】
同様に、ＵＥの送信パワーは望ましい目標を達成するようにセルによって調整される。種々のセルが種々の品質を有するＵＥを受信した可能性があるので、種々の（ダウンリンク）ＴＰＣストリームは３セルへのＵＥの送信パワーを調整するために使用される。
【０１５１】
１つの実施形態では、もしもＵＥがＤＭＣＨとＤＣＨとの両者をダウンリンク上で同時に受信すると、その時アップリンクＤＰＣＣＨ上に送られた(アップリンク)パワー制御情報は、以下でさらに詳しく論じられるように、ダウンリンク上でＰＤＭＣＨとＤＰＣＨとの両者の送信パワーを調整するために使用される。
【０１５２】
図５Ｂはソフト・ハンドオーバにおけるＵＥでのマルチキャスト・チャネル（ＤＭＣＨ）のみの受信のためのチャネル・モデルを示す図である。この場合に、ダウンリンク上に送られた指定された情報は、より高位層のシグナリングとパワー制御だけを含む。最小量のコード・スペースを使用している複数のＵＥのためのパワー制御情報を送るのに効率的な方法は、ｃｄｍａ２０００（ＩＳ−２０００  Ｒｅｖ  Ａ）において使用されるＣＰＣＣＨチャネルと同様に、同じ物理チャネル上にこれら複数のＵＥのための情報を時分割多重化することである。より高位層のシグナリングの容量は制限されるので、このシグナリングはＤＭＣＨ上に送られる。もしもシグナリング／パワー制御が単一のＤＭＣＨ上でＴＤＭ結合されると、その時ＭＡＣヘッダはそれのためにデータが予定される特定のＵＥを識別するために使用される。特定のＭＡＣ−ＩＤはそのグループ内の全ＵＥのために予定される、マルチキャスト・データ用に使用される。
【０１５３】
図５Ｂに示されるように、ＵＥはソフト・ハンドオーバにあり、そして３セルからの伝送を受信する。３セルからのＰＤＭＣＨ上で受信されたデータは符号化合成トランスポート・チャネルを形成するために多重化され（ブロック５３２）、それはさらに復号され、そしてマルチキャスト・サービス用の復号データを供給するためにデマルチプレクスされる（ブロック５３０）。１つの実施形態では、３セルからのＴＰＣストリーム（即ち、パワー制御情報）はパワー制御物理チャネル（ＰＣＰＣＨ）上に時分割多重化法で受信される。ＰＣＰＣＨはＷ−ＣＤＭＡのために定義された新しい物理チャネルである。このパワー制御情報はその後ＵＥによってアップリンク送信パワーを調整するために使用される。
【０１５４】
アップリンク物理チャネル・モデル
図５Ｃはアップリンク上の専用チャネルのためのチャネル・モデルを示す図である。アップリンク用の物理チャネル・モデルは、ＤＰＣＨがダウンリンク上で使用されるか否かと無関係で、同じものである。１つの実施形態では、１アップリンクＴＰＣストリームのみが物理チャネル上に含まれ、そして全ダウンリンク物理チャネルのために使用される。
【０１５５】
図５Ｃに示されるように、アップリンク上に送信されるべきデータは符号化され、そして符号化合成(coded  composite)トランスポート・チャネルを形成するために多重化され（ブロック５４０）、それはさらにデマルチプレクスされ、そして１つまたはそれ以上の物理チャネル用の１つまたはそれ以上の物理チャネル・データ・ストリームを供給するためにスプリットされる（ブロック５４２）。アップリンクＴＰＣストリームはまたＵＥから送信された物理チャネルの制御部上で多重化される。
【０１５６】
共通チャネルのパワー制御
１グループのＵＥに送信された共通チャネル（例えば、マルチキャスト・チャネル）の送信パワーはそのグループ内の全ＵＥのパワー要求条件を反映するために調整される。共通チャネルのための送信パワーはその後そのグループ内の全ＵＥのパワー要求条件の包絡線(envelope)となるであろう。これに対して、ＰＣＰＣＨまたはＤＰＣＨ（もしもそのものが構成されれば）の送信パワーは目標とされたＵＥに到達するのに必要なだけであり、そして単一のＵＥのパワー要求条件に基づいて調整される。共通および専用チャネルのための送信パワーはこのように典型的に独立して発展する。
【０１５７】
種々のパワー制御スキームは、共通および専用チャネルが目標とされたＵＥによる種々のパワー要求条件に関連することを与えられて、これらのチャネルの送信パワーを調整するために実施される。これらのスキームのいくつかは以下に論じられる。他のスキームも実施されてよく、そしてこれはこの発明の範囲内にある。
【０１５８】
第１のパワー制御スキームでは、共通および専用チャネルの送信パワーは各目標とされたＵＥによってアップリンク上に送られた単一のＴＰＣストリームに基づいて調整される。このスキームについて、単一のパワー制御コマンドは共通および専用チャネルの両者のために各パワー制御インターバルの間アップリンク上に送られる。各パワー制御インターバルの間、共通チャネル（ＰＣＰＣＨ）および専用チャネル（ＰＣＰＣＨまたはＤＰＣＨ）のためのパワー制御コマンドは各々、上述されたように、受信信号強度と対応するチャネルのためのセットポイントとに基づいて標準の方法で決定される。２つのチャネルのための２つのパワー制御コマンドはその後、２チャネルのために単一（または共同）パワー制御コマンドを供給するために、“オア・オブ・ジ・アップ（ＯＲ−ｏｆ−ｔｈｅ−ＵＰ）”コマンド・ルールを使用して合成される。特に、もしもいずれかのチャネルが送信パワーの増加を必要とすれば、共同パワー制御コマンドはＵＰコマンドである。その他では、共同パワー制御コマンドはＤＯＷＮコマンドである。このように、２チャネルのいずれかがそれの目標に合致しなければ、ＵＥは送信パワーにおける増加を依頼するであろう。
【０１５９】
第１のスキームについて、専用物理チャネル（ＰＣＰＣＨまたはＤＰＣＨ）の送信パワーは、標準のＤＰＣＨについて行われることと同様に、ＵＥによってアップリンク上に送られたパワー制御コマンドに直接基づいて決定される。共通チャネルのための送信パワーは次の通り決定される。
【０１６０】
ネットワークで、各ＵＥに関する専用チャネル(ＰＣＰＣＨまたはＤＰＣＨ)と共通チャネル（ＰＤＭＣＨ）との間の固定パワー要求条件オフセットは、初めに選択される。このオフセットは種々のファクタによる。１つのそのようなファクタはＵＥのアクティブ・セット内のセクタ数であり、それはパワー制御ビットが１セルから送られるだけであるという事実を説明するために使用される。与えられたＵＥについてのオフセットはこのように、もしもそのオフセットがＵＥのアクティブ・セットのサイズによるならば、複数の使用可能なオフセットから選択される。この場合には、ＵＥの現在のアクティブ・セット・サイズに対応するオフセットはネットワークによって選択されるであろう。このオフセットの過少評価は、必要よりも高いパワーレベルで（ＰＣＰＣＨ上に）パワー制御チャネルを送信する結果となるだけであろう。
【０１６１】
このオフセットと専用チャネル（ＰＣＰＣＨまたはＤＰＣＨ）のために必要な送信パワーの現在値に基づいて、共通チャネル（ＰＤＭＣＨ）についての各ユーザの送信パワーの要求条件がその後決定される。各セルごとの共通チャネルについての実際の送信パワーはその後、それらのアクティブ・セットにおけるこのセルを含む全ＵＥによって必要とされる送信パワーの最大値に設定される。これはその後、全ＵＥによって必要とされる送信パワーの包絡線と等しく設定されている共通チャネルについての送信パワーに帰着するであろう。
【０１６２】
専用および共通チャネル間の固定パワー要求条件オフセットは、これらのチャネルがＵＥによって確実に受信されるように、初めに各ＵＥについて評価される。オフセットの初期評価が最適ではない可能性があり、そして外部ループはこのオフセットを調整するために実施される。特に、各ＵＥは、目標のＢＬＥＲがこれらの両チャネルのために達成されるように、共通および専用チャネル用のセットポイントを調整してもよい。２つのセットポイント（例えば、ＤＭＣＨセットポイントとＰＣＰＣＨセットポイント）の間の差はその後、ネットワークに送られてもよく、それはその後全ＵＥについて受信されたセットポイント差に基づいて２チャネル間の固定パワー要求条件オフセットを調整する。外部ループを介したオフセット調整無しに、チャネルの１つは必要なＢＬＥＲを達成するために、必要よりも高いパワーレベルで送信されるであろう。オフセット調整（即ち、外部ループ・セットポイントをネットワークに合図すること）が、シグナリングに量を減らすために外部ループ調整より遅いレートで実行されてもよいことは注意されねばならない。
【０１６３】
第２のパワー制御スキームでは、共通および専用チャネルを同時に受信する各ＵＥは２つのＴＰＣストリーム、１つは共通チャネル用のもの、そして１つは専用チャネル用のものを送信する。各ＴＰＣストリームは、対応するチャネル用の受信信号強度およびそのチャネル用のセットポイントに基づいて、上述されたように得られる。１つの実施形態では、２つのＴＰＣストリームは、ＵＥによって送信されたＤＰＣＨのＤＰＣＣＨ内のＴＰＣフィールドを使用して実施される２つのパワー制御サブチャネル上に送信される。もう１つの実施形態では、２つのＴＰＣストリームはＤＰＣＣＨ内の２つのＴＰＣフィールドを使用して実施される２つのパワー制御サブチャネル上に送信される。２つのＴＰＣストリームを送信する他の手段も実施されてよく、そしてこれはこの発明の範囲内にある。専用チャネル（ＤＰＣＨ）用の送信パワーはその後そのチャネル用のＴＰＣストリームに基づいて直接調整される。共通チャネル（ＰＤＭＣＨ）用の送信パワーは、（例えば、上述された“ＯＲ−ｏｆ−ｔｈｅ−ＵＰ”コマンド・ルールを使用して）そのチャネルを受信するように指示された全ＵＥから受信されたＴＰＣストリームに基づいて調整される。
【０１６４】
複数のパワー制御サブチャネルの実施は、米国特許出願シリアル番号、第０９／７８８，２５８号、タイトル“ＣＤＭＡ通信システムにおいて複数チャネルの送信パワーを制御するための方法と装置（Ｍｅｔｈｏｄ  ａｎｄ  Ａｐｐａｒａｔｕｓ  ｆｏｒ  Ｃｏｎｔｒｏｌｌｉｎｇ  Ｔｒａｎｓｕｍｉｔ  Ｐｏｗｅｒ  ｏｆ  Ｍｕｌｔｉｐｌｅ  Ｃｈａｎｎｅｌ  ｉｎ  ａ  ＣＤＭＡ  Ｃｏｍｍｕｎｉｃａｔｉｏｎ  Ｓｙｓｔｅｍ）”、２００１年２月１５日提出、に詳細に記述されており、それは本出願の譲受人に譲渡され、そして引用されてこの中に組み込まれる。
【０１６５】
ポイント・ツー・マルチポイント・サービス用のパワー制御も、米国特許出願シリアル番号、第１０／１１３，２５７号、タイトル“通信システムにおいて供給されたポイント・ツー・マルチポイント・サービス用のパワー制御（Ｐｏｗｅｒ  Ｃｏｎｔｒｏｌ  ｆｏｒ  Ｐｏｉｎｔ−ｔｏ−Ｍｕｌｔｉｐｏｉｎｔ  Ｓｅｒｖｉｃｅｓ  Ｐｒｏｖｉｄｅｄ  ｉｎ  Ｃｏｍｍｕｎｉｃａｔｉｏｎ  Ｓｙｓｔｅｍｓ）”、２００２年３月２８日提出、にさらに詳細に記述されており、それは本出願の譲受人に譲渡され、そして引用されてこの中に組み込まれる。外部ループを実施するための技術は、米国特許出願シリアル番号、第０９／９３３，６０４号、タイトル“通信システムにおいて複数のフォーマットを有するチャネルのためのパワー制御（Ｐｏｗｅｒ  Ｃｏｎｔｒｏｌ  ｆｏｒ  Ｃｈａｎｎｅｌ  ｗｉｔｈ  Ｍｕｌｔｉｐｌｅ  Ｆｏｒｍａｔｓ  ｉｎ  ａ  Ｃｏｍｍｕｎｉｃａｔｉｏｎ  Ｓｙｓｔｅｍ）”、２００１年８月２０日提出、にさらに詳細に記述されており、それは本出願の譲受人に譲渡され、そして引用されてこの中に組み込まれる。
【０１６６】
ハンドオーバ
複数のＵＥは異なる組のセルの間でソフト・ハンドオーバにある可能性があるので、ＰＤＭＣＨのタイミングは、いずれか１つのＵＥのために無線リンクを合わせる(align)ために修正されることはできない。したがって、この構造はネットワークが同期または準同期(quasi−synchronous)である時に使用されるだけである。
【０１６７】
マルチキャスト・チャネル（ＰＤＭＣＨ)と専用チャネル（ＤＰＣＨ）との同時受信に関して、アクティブ・セットは両チャネルについて同一物であると仮定される。アクティブ・セットは典型的に共通パイロット（Ｅｃ／Ｎｔ）の受信エネルギーにリンクされる。このように、与えられたＵＥについて、ＤＰＣＨがＰＤＭＣＨと並列に供給される時には、アクティブ・セットは両チャネルのために同一物である。２つのチャネル間のパワー・オフセットはその後、２チャネルについて、データレートにおける差、ＱｏＳ、ＴＴＩ長、等に基づいて得られる。パワー・オフセットは、アクティブ・セットが同一物であるので、各チャネル用のアクティブ・セットのサイズにリンクされる必要はない。
【０１６８】
アクティブ・セットは共通および専用チャネルの両者について同一物であるが、アクティブにある種々のセルからのＰＤＭＣＨ用の送信パワーは別である。これはそれらのアクティブ・セットにおいて、これら種々のセルを含むＵＥの組は同一物ではないからであり、従って、これらのセルのための送信パワーは独立して発生するであろう。しかしながら、ＰＤＭＣＨ用の送信パワーは目標とされたＵＥ用に必要なパワーの包絡線であるので、ＵＥのアクティブ・セット内のセルの各々によって送信されたパワーは少なくともそのＵＥによって要求される物と同じほど高いであろう。このように、ＤＭＣＨの信頼性は、ＵＥがソフト・ハンドオフにある時にＤＰＣＨのそれに関連して多分改善されるであろう。
【０１６９】
マルチキャスト・チャネルのみの受信について、ＤＰＣＨが必要ない時には、ダウンリンク上で受信された専用物理チャネルのみがＰＣＰＣＨである。これらの物理チャネルはＵＥのアクティブ・セットにおけるセルの各々によって送られる。ＯＶＳＦ符号および各セルによってＵＥに送られたパワー制御ビット用に使用されたタイム・オフセットはより高位層シグナリングによって構成される。
【０１７０】
ＰＣＰＣＨチャネルは（各セルによって送られている種々のパワー制御ビットによる）ソフト結合(soft−combined)ではないので、ＰＣＰＣＨチャネルとＰＤＭＣＨとの間のパワー・オフセットはＵＥのアクティブ・セットのサイズの関数になる。専用チャネル・ビットとパワー制御ビット（例えば、無ソフト・ハンドオーバ、２方向ソフト・ハンドオーバ、および３方向ソフト・ハンドオーバ用のそれぞれ０ｄＢ、３ｄＢ、および５ｄＢ）はＰＣＰＣＨおよびＰＤＭＣＨ用に使用される。
【０１７１】
このように、パワー制御は、上記の種々のファクタにより、ＭＢＭＳ伝送に使用され得るか使用され得ないかである。急速なパワー制御またはチャネル選択は、もしもＭＢＭＳ伝送を受信しているＵＥの数が大き過ぎなければ、ＵＥごとのベースで実施される。１グループのＵＥは、例えば、“ＯＲ−ｏｆ−ｔｈｅ−ＵＰ”コマンド・ルールを使用して、ＭＢＭＳデータを送信するために使用された物理チャネル（即ち、ＭＢＭＳチャネル）を共同でパワー制御してもよく、それによってＭＢＭＳチャネルのための送信パワーは、もしもいずれかのＵＥが増加を要求すれば増加される。
【０１７２】
ＭＢＭＳチャネルの共同パワー制御で、共同チャネルのダイナミック・レンジが統計的な平均化によって減少されるように、急速なパワー制御の利益は大いに減らされる可能性がある。さらに、急速パワー制御は専用ダウンリンクおよびアップリンク資源を必要とする。同報通信サービスについて、ＭＢＭＳチャネルを積極的に受信している各ＵＥへの専用資源の割当ては、アクティブなＵＥの数が増加するほど利益を減らすと共に、非常に高い符号およびパワーの使用に帰着する可能性がある。しかしながら、共同パワー制御はマルチキャスト・サービスとしては有利であることができ、それはより少数のＵＥへの伝送をカバーする。
【０１７３】
急速パワー制御がＭＢＭＳチャネル用に使用されない時でさえ、ＵＥはＭＢＭＳサービスの品質を報告し、それはその後は種々の目的のために使用される。報告は、統計的ベースで(例えば、全ＵＥのサブセットがサービス品質情報を報告する)、事象ごとのベースで（例えば、ＵＥがある閾値以下のＱｏＳを経験した時にサービス品質情報を報告する）、またはネットワークによる請求で行われる。サービス品質情報の報告は以下にさらに詳細に記述される。
【０１７４】
Ｈ.測定／品質制御
ＭＢＭＳは、多分マルチキャストと関連するＲＲＣ関連手順を除いて、ＭＢＭＳ伝送を調整するために任意の閉ループ手順（例えば、否急速パワー制御）無しに実施される。しかしながら、ＵＥによって受けられるＭＢＭＳサービスの品質をモニタすることはなお望ましい。このサービス品質情報はＭＢＭＳサービスの伝送に関連する種々の過程を調整するために使用される。例えば、ネットワークは、セルまたはサービスエリア内のサービスの特定の平均品質を維持するために、特定の同報通信またはマルチキャスト・サービスに割り当てられたパワーを調整できる。これはその後、ネットワークが、サービスの度合いが目標に合致することをなお保証する一方で、各ＭＢＭＳサービスに割り当てられたパワーの量を最小にすることを可能にするであろう。
【０１７５】
サービス品質情報は種々の収集および報告スキームを使用しているＵＥから収集される。
【０１７６】
コマンド報告とも呼ばれる第１のスキームでは、ＵＥは正確な測定値を収集および／または報告するためにネットワークによって特別にコマンドされる。一般に、任意数のＵＥは任意の測定値を報告するために選択される。例えば、ネットワークは特定の測定値（例えば、トランスポート・チャネル・ブロック・エラーレート）を報告するためにＵＥが特定のＭＢＭＳサービスを受けることを要求する。この要求はシグナリングを介してＵＥに送られる。例えば、この要求は符号化合成トランスポート・チャネル（ＣＣＴｒＣＨ）を形成するためにＭＢＭＳデータとして使用された１つまたはそれ以上のトランスポート・チャネルと共に多重化されるトランスポート・チャネル上に送られる。
【０１７７】
報告は非周期的（例えば、スケジュールに基づいて）または周期的(例えば、要求と共に提供されている報告インターバルで)あってもよい。端末はネットワークによって終了することを指示されるまで測定値を報告してもよい。報告はまたオンデマンド(即ち、ネットワークによる命令の時はいつでも)であってもよい。
【０１７８】
統計的な報告とも呼ばれる第２のスキームでは、サービス品質情報は全ＵＥの代わりに選択されたグループのＵＥから収集される。特定のＭＢＭＳサービスを受けている多数のＵＥがあるので、特定の測定値（例えば、ブロック・エラーレート）を報告することを全ＵＥに要求することは、測定値報告と関連する過大な量の一般トラフィックに帰着する可能性がある。一般トラフィックを減らすために、あるＵＥのみが報告のために選択される。ＵＥは、例えば、(１)各ＵＥまたはユーザに割り当てられた特定のＩＤを細分することにより、（２）各ＵＥに割り当てられたランダムな変数をネットワークによって設定された閾値と比較することにより、または（３）何か他の選択スキームに基づいて、ランダムに選択される。
【０１７９】
イベント駆動報告とも呼ばれる第３のスキームでは、ＵＥは、ある定義されたイベントの発生で測定値を報告することを要求される。全部のまたは１サブセットのＵＥがイベント駆動報告を行うことを要求される。さらに、任意の測定値がモニタリングのために選択され、そして任意の閾値がその報告をトリガするために使用される。
【０１８０】
例えば、ネットワークは、特定の測定期間を通して平均されたエラーレートが、ある閾値以上である時はいつでも報告することをＵＥに要求する。これはその後、特定のＵＥが十分な品質でＭＢＭＳサービスを受けていないことをネットワークが検出することを可能にする。ネットワークはその後このＭＢＭＳサービスに割り当てられた送信パワーの量を増加させる。この機構は特にマルチキャスト・サービスに適しており、そこでは特定の位置にある１グループのＵＥは特定のサービスを受けることができる。イベント駆動報告によって、ネットワーク資源（即ち、送信パワー）は、全体のセルをカバーすべく送信しないことにより節約される。
【０１８１】
他のスキームがＵＥからサービス品質情報を収集するために実施されてもよく、そしてこれはこの発明の範囲内にある。さらにこれらのスキームの任意の組合わせは任意の与えられた機会に使用される。例えば、特定のＭＢＭＳサービスに関して、特定グループのＵＥは統計的報告のためにランダムに選択され、このサービスを受けている全ＵＥはイベント駆動報告を行うことを要求され、そして報告するこれらのＵＥは同一または付加的な測定値を収集および／または報告することをネットワークによって命令される。
【０１８２】
ＵＥから報告された測定値を処理している時に、ネットワークは測定値の確度に影響を及ぼす可能性がある他のパラメータを考慮に入れてもよい。そのようなパラメータは例えば、往復時間、パスロス、ネットワーク・トポロジー等を含む。ネットワークはその後報告された測定値を選択的に捨てるか、または保有する。例えば、１ＭＢＭＳカバレッジ・エリアのエッジに近く位置し、そしておそらく最後のセルから移動する時に高いエラーレートを経験するＵＥについては、報告された測定値がより高いエラーレートのために不正確になり得るので、それらの報告された測定値はネットワークによって捨てられてもよい。
【０１８３】
Ｉ．送信／受信
一般的初期化手順
図６はＵＥによってＭＢＭＳサービスを受けるための１つの実施形態の処理６００のフロー図である。図６のための記述はＭＢＭＳ制御情報用のチャネル構造と上述されたサービスデータとが使用されることを仮定している。
【０１８４】
初めに、ＵＥはＢＣＣＨ上で伝送されたシステム情報ブロックを処理することによってシステムレベルＭＢＭＳ情報を得る（ステップ６１０）。このシステムレベルＭＢＭＳ情報は他の制御情報とサービスデータとを捜すべきＵＥを知らせる。ＵＥはＳ−ＣＣＰＣＨである、共通ＭＢＭＳ制御チャネルからＡＳおよびＮＡＳ  ＭＢＭＳ制御情報を獲得する（ステップ６１２）。この制御情報はＵＥに、どのサービスが使用可能であるか、そのサービスが伝送される物理チャネル、およびこれらのサービスのために使用される各論理および物理チャネルのためのパラメータを通知する。
【０１８５】
ＡＳおよびＮＡＳ  ＭＢＭＳ制御情報を獲得することで、ＵＥは付加的なアクセス・パラメータをネゴシエートするために専用モードに入る（ステップ６１４）。ＵＥはまた、あるサービスを受けることが始まっていることを簡単に信号する。必要なタスクの完了で、ＵＥは、その上にＭＢＭＳデータがマップされる物理チャネル（即ち、ＭＢＭＳチャネル）のＣＣＣＨ部からサービス特定の制御情報を受信する（ステップ６１６）。この情報は、例えば、外符号用のシグナリングを含むことができる。
【０１８６】
サービス特定の制御情報の受信で、ＵＥはＭＢＭＳチャネル上でサービスデータを受信する（ステップ６１８）。同時に、ＵＥはサービス特定の制御情報用のこのチャネルのＣＣＣＨ部をモニタする。ＵＥはまた、もしもこの情報がＭＢＭＳチャネルまたはそれがある時にはＤＣＣＨ上で反復されないならば、ＡＳおよびＮＡＳ  ＭＢＭＳ制御情報用の共通ＭＢＭＳ制御チャネルをモニタする。
【０１８７】
（ＵＥが最初ＭＢＭＳサービスを受ける時に実行され得る）最初の獲得に関して、ＵＥは必要な制御情報を獲得するために５つのステップ６１０乃至６１８のすべてに亘って遷移する。（例えば、新ＭＢＭＳサービスに切り換える時に実行され得る）次の獲得に関して、ＵＥはステップ６１２乃至６１８（またはまさにステップ６１４乃至６１８）に亘って遷移することだけが必要である。
【０１８８】
他の状態図が実施されてもよく、そしてこれはこの発明の範囲内にある。
【０１８９】
セル・カバレッジ
ＭＢＭＳサービスは現存のセル・レイアウトを有する現存の通信ネットワーク内で展開される。この展開はランダムに分布されたＵＥが全体のセルを通して特定のサービス品質（ＱｏＳ）で、このＱｏＳはユーザごとのベースで保証されない可能性があるけれども、ＭＢＭＳサービスを受けることができるようになる。
【０１９０】
単一のセルから与えられたセルのエッジに到達するためには、所望のＱｏＳを達成するために大量の送信パワーが典型的に必要になる。与えられたＭＢＭＳサービスが（少なくとも同報通信の場合に）複数セルをカバーすることはありそうなので、同じＭＢＭＳデータは近隣のセルから送信される可能性がある。このように、ＭＢＭＳカバレッジを改善し、そしてセル・エッジに到達するのに必要な送信パワーの量を減少させるために、ＵＥが複数のセルから受信したＭＢＭＳ伝送を結合するのを可能にすることは非常に有利であるだろう。
【０１９１】
しかしながら、ＭＢＭＳサービスは共通チャネル上にマップされ、そしてソフト・ハンドオーバを実行することのための機構は専用チャネルのために定義される。このように、現在ソフト・ハンドオーバのために使用できる機構を使用しているソフト・ハンドオーバ内に共通チャネルを設定することはできない。もしもソフト・ハンドオーバがＭＢＭＳサービスのために使用され得ないならば、その時ＭＢＭＳカバレッジは厳しく影響される可能性がある。
【０１９２】
技術は、ＵＥが改善された性能を提供するために複数のセルからのＭＢＭＳフレームを結合することを可能にするためにこの中に記述される。ＵＥで行われることができる結合のタイプは、以下に論じられるように、ネットワーク内のセル間の同期のレベルとＵＥのバッファリング能力とに依存する。シグナリング負荷を制限するために結合は専用シグナリング無しに実行されることができ、それはこの中で自主的ソフト・ハンドオーバと呼ばれる。
【０１９３】
自主的ソフト・ハンドオーバ
ＵＥは２つまたはそれ以上のセルの共同カバレッジ・エリアに位置する可能性がある。もしもこれらのセルが同じＭＢＭＳデータを送信し、そしてもしもこれらのセルのためのタイミングが既知であれば、その時ＵＥは改善された性能を供給するために複数セルからのＭＢＭＳデータを受信して処理することができる。例えば、ＵＥは複数セルからの同じＭＢＭＳデータのフレーム（即ち、“類似(corresponding)”ＭＢＭＳフレーム）を結合し、そしてその後復号性能を改善するためにこの結合フレームを復号することができる。代替として、ＵＥは、複数セルから受信された類似ＭＢＭＳフレームを（それらを結合すること無しに）個別に復号でき、そしてその後ＣＲＣ検査の結果に基づいて復号フレームの１つを選択する。
【０１９４】
複数セルから送信されたＭＢＭＳデータのトランスポート・ブロックは、フレームの結合／選択を可能とするために同一物でなければならない。（ソフト・ハンドオーバにおけるような）フィンガ・レベル結合を可能とするために、異なるセルからの送信はシンボルごとのベースで同一物であり、そして同じ方法をＣＣＴｒＣＨ上にマップされる必要がある。これは、もしもＣＣＴｒＣＨ上にマップされた全サービスが同じＭＢＭＳエリアを有するならば保証される。本質的に、送信されたデータは、ソフト結合を可能とするために符号シンボルレベルで同一物であることが必要である。ＭＢＭＳにおける１つのオプションは複数サービスを単一の物理チャネル上で多重化することである。もしもサービスが異なるカバレッジ・エリア（即ち、その中でサービスが利用できる１組のセル）を有するならば、その時物理層で正確な同じデータを有するための要求条件は、両サービスによって共同でカバーされないセル内で満たされることはありえない。
【０１９５】
自主的ソフト・ハンドオーバを用いて、ＵＥはセルを自主的に決定することができ、それはセルとシグナリングを交換しなければならないこと無しに、そのセルから対応するＭＢＭＳフレームを受信し、そして結合することができる。このシグナリングは典型的に、音声またはパケットデータのような他の専用サービスとのソフトまたはハード・ハンドオーバのために必要とされる。自主的ソフト・ハンドオーバは、ハンドオーバのためのオーバーヘッド・シグナリング量を減らすために同報通信サービス用に好都合に使用されてもよい。自主的ソフト・ハンドオーバはまた、同報通信伝送が多数のＵＥによって受信されることを意味し、そして特定のＵＥのために調整されないので、実行され得る。
【０１９６】
自主的ソフト・ハンドオーバは、もしもＵＥがタイム・オフセットまたは近隣のセルから送信された対応するＭＢＭＳフレームの間の時間差に関する情報を提供されるならば、実施される。結合されるべき複数セルからの送信間の時間差は、ＵＥの処理およびバッファリング能力以内でなければならない。このように、自主的ソフト・ハンドオーバをサポートするために、セルとＵＥの最小容量との間の同期の程度およびレベルは、ＵＥが自主的ソフト・ハンドオーバのために複数セルから受信された信号を結合できるように、定義される。
【０１９７】
Ｗ−ＣＤＭＡに関して、ネットワーク内のセルは、ネットワーク・オペレータによって決定されている運用の選択を用いて、同期または非同期で運用される。セル間の同期のレベルは、（１）複数セルからのＭＢＭＳデータの“冗長”フレーム（即ち、結合または選択されてもよいフレーム）を識別する、および（２）これらのフレームを結合するか個別に処理する、ためのＵＥの能力に影響を与える。
【０１９８】
セル同期のレベルは異なるセルごとの同じＭＢＭＳトランスポート・ブロックの伝送時間の間の時間差として定義される。簡単のため、異なるセルから送信されたＭＢＭＳブロックは、同じＳＦＮ番号を有する無線フレームを通して伝送されると仮定される。もしもこの仮定が真実でないか、またはもしもセルのＳＦＮが同期されないならば、その時、余分の識別フィールドおよび／または手順は、どのフレームが一緒に結合されるかを検出するためにＵＥによって実施される。いずれの場合も、ＵＥは、種々のセルから受信された伝送から結合／選択されてもよいＭＢＭＳデータのフレームを識別することができる。
【０１９９】
表２はネットワーク内のセルの間の種々の同期レベル、結合されてもよいフレームを識別するための手段、およびフレームを結合するための技術（またはオプション）を記録する。
【表２】
2010136397.tif 000004
【０２００】
表２に示されるように、ネットワーク内のセルの間の同期のレベルはＵＥ内の種々のバッファの能力に基づいて定義される。ＵＥは典型的に、一般にフィンガと呼ばれる、多数の復調エレメントを有するレーキ(rake)受信器を使用する。各フィンガは十分な強さの信号インスタンス（またはマルチパス・コンポーネント）を処理するために割り当てられる。同じ伝送に対応するマルチパス・コンポーネントは復号より前に結合されてもよい。これらのマルチパス・コンポーネントは複数の信号経路を介して同じセルから受信されるか、または複数のセルから受信されてもよい。いずれの場合も、マルチパス・コンポーネントはＵＥでの異なる到着時刻を有するので、割り当てられたフィンガからの出力はデスキュー(deskew)・バッファに供給される。デスキュー・バッファはこれらの信号が結合される前に、割り当てられたフィンガからのシンボルを正確に時間整列する。
【０２０１】
ＵＥはまた典型的に、ＲＬＣ層でデータを蓄積するために使用されるＲＬＣバッファを維持する。ＲＬＣバッファは典型的にデスキュー・バッファより大きく、そしてより長い時間周期を蓄積するように名づけられる。もしも与えられたパケットが誤って受信されると、その時ＡＲＱシグナリングは、抹消されたパケットが再送されるようにネットワークに送られる。ＲＬＣバッファはこのように、抹消パケットの再送を償うのに十分な数のパケットを蓄積することができる。
【０２０２】
“ソフト・バッファ”は機能的にデスキュー・バッファと同じものである。しかしながら、これらのバッファは異なる量子化レベル（即ち、ソフト・シンボル値を表示するためのビット数）がそれらの各々について選択されることで異なる可能性がある。これらのバッファはまた、典型的にデスキュー・バッファより大きいソフト・バッファと共に、典型的に異なるサイズを有する。
【０２０３】
また表２に示されるように、結合／選択されてもよいＭＢＭＳデータの対応するフレームは絶対的にまたはＳＦＮに基づいて識別される。もしもセル間の時間差が小さければ、その時複数のセルから特定の時間周期以内に（例えば、ＭＢＭＳトランスポート・チャネルＴＴＩの半分以内に）受信されたＭＢＭＳフレームが対応するフレームであると仮定される。もしもその時間差がそれより長ければ、その時フレームのＳＦＮは対応するＭＢＭＳフレームを識別するために使用される。
【０２０４】
表２に記録された結合オプションは以下で論じられる。
【０２０５】
ソフタ(Softer)．もしも複数セルからの伝送の間の時間差が十分に小さければ、その時ソフト・ハンドオーバのための結合はＵＥでデスキュー・バッファのタイミングを調整することによって達成することができる。複数セルからの伝送は異なるフィンガを割り当てられてもよい。これらのフィンガからの出力はデスキュー・バッファによって時間配列され、そしてその後結合される。この方法では、十分に小さい時間差（即ち、デスキュー・バッファの容量以内）を有する複数セルからの伝送は、専用チャネルのソフト・ハンドオーバのためにＵＥによって実行される結合と同様の方法で処理される。
【０２０６】
並列ソフト．もしも複数セルからの伝送の間の時間差がデスキュー・バッファの容量を超えれば、その時異なるセルからの伝送はデスキュー・バッファをオーバーラップし、そしてソフタ結合について上述されたように、結合されることはできない。この場合に、異なる組のフィンガは各セルからの伝送を処理するために割り当てられる。各セルに関して、そのセルからの伝送を処理するために割り当てられた全フィンガからの出力は共に結合される。これは複数のＣＣＴｒＣＨを並列に受信することと同等である。複数セルに割り当てられた複数組のフィンガからの結合結果は、その後結合されてもよい。ＨＳＤＰＡにおいて実行されたそれと同様に、複数セルからの結合結果の結合は、あたかも複数組の結合結果が同じブロックの別々の伝送に相当するかのように実行される。
【０２０７】
複数の伝送をシンボルレベルおよびフレームレベルで結合するための種々の技術は、米国特許出願シリアル番号、第１０／０５６，２７８号、タイトル“無線通信システムにおける複数の非同期伝送の選択的な結合（Ｓｅｌｅｃｔｉｖｅ  Ｃｏｍｂｉｎｉｎｇ  ｏｆ  Ｍｕｌｔｉｐｌｅ  Ｎｏｎ−Ｓｙｎｃｈｒｏｎｏｕｓ  Ｔｒａｎｓｍｉｓｓｉｏｎｓ  ｉｎ  ａ  Ｗｉｒｅｌｅｓｓ  Ｃｏｍｍｕｎｉｃａｔｉｏｎ  Ｓｙｓｔｅｍ）”、２００２年１月２３日出願に詳細に記述されており、それは本出願の譲受人に譲渡され、そして引用されてこの中に組み込まれる。
【０２０８】
ハード．もしもセルの間の時間差がソフト・バッファ容量によって提供されたデスキュー・バッファの容量を超えれば、ソフト結合は典型的に可能ではない。もしもＲＬＣバッファが結合目的のために使用され得るならば、その時ＵＥ内でＡＲＱ機構をエミュレートすることができる。特に、ＭＢＭＳブロック用のＣＲＣが検査しないか、または受信されるべきセルが使い尽くされないならば、その時ＵＥは、あたかもそれらが同一ブロックの異なる伝送であったかのように、複数セルからの複数の伝送を連続的な方法で復号してもよい。もしもＭＢＭＳ伝送が連続的であれば、その時この処理スキームは複数のＣＣＴｒＣＨの並列受信をサポートするＵＥを有することと等価である。
【０２０９】
ハード結合を実行する技術は前述の米国特許出願シリアル番号第１０／０５６，２７８号にさらに詳細に記述されている。
【０２１０】
非セル同期．もしも少なくともあるレベルのセル同期の保証がないならば、（例えば、もしもセルが非同期的に運用されていれば）、その時ＵＥは異なるセルからのＭＢＭＳブロックを結合することができない可能性がある。これはＵＥが多分異なるセルからの対応するＭＢＭＳブロックの最悪ケースの伝送遅延を吸収するためのメモリ容量を持たないであろうためである。この場合に、ＵＥが１つのセルから他へ移動する時は、アプリケーション層で監視されるように、これらのセル間の時間差の大きさおよびサイン依存して、ＭＢＭＳデータ伝送におけるギャップまたは反復のいずれかが存在する。もしも結合が不可能ならば、その時はセルエッジでカバレッジを保証するために、より高いパワーを有するＭＢＭＳデータを送信する。
【０２１１】
同報通信についてハンドオーバを実行するための種々の技術は、米国特許出願シリアル番号、第０９／９３３，６０７号、タイトル“同報通信システムにおけるハンドオフのための方法およびシステム（Ｍｅｔｈｏｄ  ａｎｄ  Ｓｙｓｔｅｍ  ｆｏｒ  ａ  Ｈａｎｄｏｆｆ  ｉｎ  ａ  Ｂｒｏａｄｃａｓｔ  Ｃｏｍｍｕｎｉｃａｔｉｏｎ  Ｓｙｓｔｅｍ）”、２００１年８月２０日出願にさらに記述されており、それは本出願の譲受人に譲渡され、そして引用されてこの中に組み込まれる。
【０２１２】
Ｊ．シグナリング
非アクセス層（ＮＡＳ）シグナリング
ＭＢＭＳはＩＭＳのために定義された同じシグナリング構造を使用することができる。ＮＡＳでは、ＳＩＰプロトコル（またはＳＩＰプロトコルの展開）は局面に関連した全サービスのために使用される。ＮＡＳシグナリングはアクセス層（例えば、Ｗ−ＣＤＭＡまたはＧＥＲＡＮ）によって使用される大気中インターフェイスに関わらず同じものであり得る。ＮＡＳシグナリングのいくつかの機能は次の通りである：
・サービス創造―新ＭＢＭＳ内容または新マルチキャスト・グループを導入すること。
【０２１３】
・サービス・アクセス−ＭＢＭＳ内容を受信するまたはマルチキャスト・グループを連結する／放置すること。
【０２１４】
・サービス限定−（例えば、どのエリアが特定のＭＢＭＳ内容を運ぶか）地理的、または（例えば、どの加入者が特定の内容にアクセスできるか）ユーザ・ベース。
【０２１５】
・サービス修正−オーディオ・サービスは任意の静止画像またはビデオ・クリップを含む。
【０２１６】
・サービスレベル優先権−ある内容が他の内容に優先する（例えば、緊急発表はより高い優先権をもつ）。
【０２１７】
・サービス通知−ＭＢＭＳのユーザにそのエリア内で使用できる内容を通知すること。
【０２１８】
・サービス品質−使用可能なＱｏＳのユーザに特定のＭＢＭＳ内容について通知すること
。
【０２１９】
・安全の局面−ユーザ認証
アクセス層（ＡＳ）シグナリング
ＡＳシグナリングはＭＢＭＳサービスを伝送するために使用される大気中インターフェイスに特有である。Ｗ−ＣＤＭＡ大気中インターフェイスについて、ＡＳシグナリングの主要な機能は下記である：
・特定の無線資源へのＭＢＭＳサービスのマッピング−
〇同じＭＢＭＳ内容によって使用される複数の無線ベアラ(bearer)との不同のエラー保護
。
【０２２０】
○より低位層再送スキームおよび再送パラメータの選択。
【０２２１】
・ユーザ移動性の処理
○各セル内の特定のＭＢＭＳ内容を受信しているユーザ数の推定。
【０２２２】
○ポイント・ツー・ポイントまたはポイント・ツー・マルチポイント無線ベアラの使用。
【０２２３】
・ＭＢＭＳのために使用される無線資源の再構成
○１セル内のＵＥ数における変化への無線資源の順応。
【０２２４】
○サービス条件（例えば、ビデオ、静止画像）を変更することへの無線資源の順応。
【０２２５】
・無線資源を通したサービスの品質
○セル内のＵＥからのブロックエラー・レート（ＢＬＥＲ）の収集統計。
【０２２６】
○セル内のユーザによって知覚されるようなＢＬＥＲの関数としてのより低位層の再送。
【０２２７】
・安全の局面
○暗号情報の交換。この機能は随意にアプリケーションによって、より高位層で実行される。
【０２２８】
・ポイント・ツー・ポイント無線ベアラ上での自主的ソフト・ハンドオーバ手順のサポート。
【０２２９】
・ポイント・ツー・ポイント無線ベアラ内で使用される外符号パラメータの伝送。
【０２３０】
上に記録された機能を提供するのに必要なメッセージは、２つのタイプである：
・ポイント・ツー・ポイント・シグナリング・メッセージ
〇ポイント・ツー・ポイント無線ベアラを構成および維持するために使用される。
【０２３１】
○すでに定義されたＤＣＣＨはこれらのメッセージのために使用される。
【０２３２】
・ポイント・ツー・マルチポイント・シグナリング・メッセージ
○ポイント・ツー・マルチポイント無線ベアラを構成および維持するために使用される。
【０２３３】
○新ポイント・ツー・マルチポイント論理チャネルはこれらのメッセージのために定義さ
れる。
【０２３４】
上記のシグナリングおよび機能の大部分はＲＲＣプロトコルへの拡張で実施される。ポイント・ツー・マルチポイント・シグナリングはＲＲＣシグナリング構造における変更を必要とする。
【０２３５】
ポイント・ツー・マルチポイント無線ベアラはポイント・ツー・ポイント無線ベアラによって使用された資源量が閾値を超える時にＭＢＭＳ内容を供給するために使用され、それはネットワーク・オペレータによって定義されてもよい。ネットワーク・オペレータはまた、もしもＭＢＭＳサービスに加入する少なくとも１つのＵＥがそのセル内に居れば、ポイント・ツー・マルチポイント無線ベアラを使用することを選んでもよい。どの無線ベアラを使用するかについての決定は、物理層でのポイント・ツー・マルチポイント・ソリューションの無線効率次第である。
【０２３６】
同報通信アドレスは特定の同報通信内容に加入した全ＵＥをアドレスするために使用される。そのような同報通信アドレスはＰＬＭＮ内で提供された各同報通信ＭＢＭＳサービスについて独特であってもよい。さらに、全体的な（絶対的な）アドレスはＰＬＭＮ内で提供された任意の同報通信内容に加入した全ＵＥをアドレスするために使用されてもよい。マルチキャスト・アドレスはマルチキャスト・セッション内に含まれたＵＥをアドレスするために使用されてもよい。
【０２３７】
ポイント・ツー・マルチポイント・シグナリング・メッセージは共通トランスポート・チャネルまたは専用トランスポート・チャネルを通して送られる。一般に、専用トランスポート・チャネルは共通トランスポート・チャネルより大きい信頼性を提供するが、しかしまた、より多くの無線資源を必要とする。共通トランスポート・チャネルは全ＵＥに同時に到達するが、しかしそれらの低い信頼性は典型的に多量の再送を必要とする。ポイント・ツー・マルチポイント・シグナリング・メッセージは中断無しに周期的に再送される。このメッセージは、その内容が変わる時はいつでも、同じメッセージの新バージョンによって置き換えられることができる。このアプローチはＷ−ＣＤＭＡのあるリリース（即ち、Ｒ９９，Ｒｅｌ−４、およびＲｅｌ−５）内のＢＣＣＨ上のシステム情報メッセージの送信と同様である。
【０２３８】
（ポイント・ツー・マルチポイント・シグナリングについて）専用トランスポート・チャネルへの共通論理チャネルのマッピングは、現存のＷ−ＣＤＭＡシグナリング構造を拡張することによって実施される。このスキームの主要な欠点は、それが多数のＵＥを処理するのに適さないことである。しかしながら、このスキームはＭＢＭＳ内容を同時に受信しており、そして専用セッション（専用チャネル上の音声またはデータ呼）上にあるＵＥのために使用される。ポイント・ツー・マルチポイント・シグナリング・メッセージを専用トランスポート・チャネル（ＤＣＨ）上に送ることによって、ＵＥはポイント・ツー・マルチポイント・シグナリングのためにのみ使用された共通トランスポート・チャネルを強いて受信しないであろう。このスキームは、専用チャネル上のＵＥにシステム・タイマ内の変化を通知するために、（Ｒ９９,Ｒｅｌ−４、およびＲｅｌ−５内で使用される）ＵＴＲＡＮ移動性情報メッセージで行われることと同じであろう。
【０２３９】
ポイント・ツー・マルチポイント・シグナリング・メッセージはポイント・ツー・マルチポイント無線ベアラの構成または再構成を指示できる。これらのシグナリング・メッセージは次の情報を含む：
・論理チャネル情報
・トランスポート・チャネル情報
・物理チャネル情報
・トランスポート・チャネルへの論理チャネルのマッピングに関する情報
・物理チャネルへのトランスポート・チャネルのマッピングに関する情報
・外符号情報
・自主的ソフト・ハンドオーバ情報
・暗号化情報（模試も同報通信またはマルチキャスト・キーが使用されれば）
・秘密同期(Cryptosync)情報（ＵＥ、例えば、ＨＦＮによって使用された秘密同期を整列させるために）
上記列挙された情報中の、外符号情報、自主的ソフト・ハンドオーバ情報、暗号化情報、および秘密同期情報のみは、現存のＷ−ＣＤＭＡシグナリング構造にとっては新しい。
【０２４０】
ポイント・ツー・マルチポイント・メッセージは外符号が使用されるか否かを示す。もしも外符号が使用されれば、その時メッセージは使用されている符号のタイプ、インターリーバの深さ（符号化ブロックのサイズ）、基準符号化ブロックの位相等を識別する。この位相は各セルの共通チャネル上で使用されたＳＦＮを参照する。もしもネットワークが自主的ソフト・ハンドオーバをサポートすれば、その時基準符号化ブロックの位相は、同じポイント・ツー・ポイント無線ベアラを送信している近隣セルの各々について示される。
【０２４１】
ポイント・ツー・マルチポイント・メッセージはまた自主的ソフト・ハンドオーバ情報がサポートされるか否かを示す。
【０２４２】
同報通信用のシグナリングを実施するための技術は前述された米国特許出願シリアル番号、第０９／９３３，９７８号にさらに詳細に記述されている。
【０２４３】
Ｋ．他のセル／周波数測定
ＭＢＭＳサービスを受けている一方で、ＵＥはその基準線の状態（例えば、空き、ＵＲＡ  ＰＣＨ、ＣＥＬＬ  ＰＣＨ等）次第で、他のセルおよび多分他の周波数上で測定を行うことができなければならない。ＭＢＭＳ伝送はアクティブ時には連続的である。この場合に、特別の手順は他のセルおよび他の周波数での測定を可能とするように定義される。
【０２４４】
もしもＭＢＭＳトランスポート・チャネルのＴＴＩが長い（例えば、８０ｍｓ）ならば、その時他のセル／周波数をモニタするためにこのＴＴＩの一部分（例えば、５ｍｓ）を使用することは、性能を有意に下げない。他のセル／周波数の測定のレートおよびＭＢＭＳトランスポート・チャネル上の望ましいエラーレート次第で、測定を行っている間に時々ＭＢＭＳブロックを失うことは、この出願の背景から受け入れられる。もしも他のサービスがＭＢＭＳと一緒にＤＰＣＨ上で並列に受けられるならば、その時これは、（以下で論じられる）圧縮モード・パターンがセル内の全ＤＰＣＨについて同一物ではないので、単一の受信器を用いて使用されることができる唯一のソリューションである。
【０２４５】
もしも１ＵＥが２つの受信器を有するならば、その時１つの受信器は他のセル／周波数の測定を行うために使用され、そして他の受信器はＭＢＭＳデータを受信するために使用される。二重受信器構造はＷ−ＣＤＭＡ標準のＲｅｌ−５およびより古い公開物についてはオプションである。しかしながら、二重受信器はＷ−ＣＤＭＡのより新しい公開物では必須となる。
【０２４６】
Ｗ−ＣＤＭＡはダウンリンク上の“圧縮モード”の動作をサポートし、それによってデータは短縮された（即ち、時間で圧縮された）期間以内にＵＥに送信される。圧縮モードは、そのシステムからのデータを失うこと無しに種々の周波数でおよび／または種々の無線アクセス技術（ＲＡＴ）で測定を行うために、ＵＥがシステムを一時放置することを可能にするように使用される。圧縮モードでは、データは、フレームの残りの部分（伝送ギャップと呼ばれる）が測定を行うために端末によって使用されることができるように、１フレーム（１０ｍｓ）の一部分のみの間ＵＥに送信される。
【０２４７】
圧縮モードでは、データは伝送ギャップ・パターン・シーケンス（即ち、圧縮モード・パターン）に従って伝送され、それは２つの交番伝送ギャップ・パターンから構成される。各伝送ギャップ・パターンはゼロまたはそれ以上の非圧縮フレームによって従われる一連の１つまたはそれ以上の圧縮フレームを備える。
【０２４８】
システムはこのように、ＤＰＣＨ用のそれと同様な圧縮モード・パターンを組み立ててもよい。このパターンはＭＢＭＳトランスポート・チャネルを受信することを全ＵＥに知らせることができる。このソリューションはＵＥが音声およびＭＢＭＳの両者を並列に受信する時には実用的でない。もしも小部分の音声ユーザのみがＭＢＭＳを並列に運用するならば、その時ＭＢＭＳチャネル用に使用されたものでそれらの圧縮モード・パターンを整列することができる可能性がある。しかしながらこのアプローチはほんのわずかなユーザのみに適用できる。もしも仮に全ユーザが同じ圧縮ノード・パターンを使用したものとすれば、その時システムはあらゆる伝送ギャップの周りにパワーの目減りを経験するであろう。
【０２４９】
無線通信システムにおいてＭＢＭＳを実施するためのここに記述された技術は、種々の手段によって実施されることができる。例えば、これらの技術の種々のエレメントはハードウェア、ソフトウェア、またはそれの組合わせで実施されることができる。ハードウェア実施の形態に関して、これらの技術のエレメントは、１つまたはそれ以上の特定用途向け集積回路（ＡＳＩＣｓ）、ディジタル信号プロセッサ（ＤＰＳｓ）、ディジタル信号処理装置（ＤＳＰＤｓ）、プログラマブルな論理装置（ＰＬＤｓ）、フィールド・プログラマブル・ゲート・アレイ（ＦＰＧＡｓ）、プロセッサ、コントローラ、マイクロ・コントローラ、マイクロプロセッサ、この中に記述された機能を実行するように設計された他の電子ユニット、またはそれの組合わせの範囲内で実施されてもよい。
【０２５０】
ソフトウェア実施に関して、これらの技術のエレメントは、この中に記述された機能を実行するモジュール（例えば、手順、機能等）で実施されることができる。ソフトウェア符号はメモリ・ユニット（例えば、図２内のメモリ２３２および２６２）に蓄積され、そしてプロセッサ（例えば、図２内のコントローラ２３０および２６０）によって実行されることができる。メモリ・ユニットはプロセッサの内部で、またはプロセッサの外部で実施されることができ、いずれの場合もそれらは当分野において知られているような種々の手段を介してプロセッサに通信的に連結されることができる。
【０２５１】
ヘッディングは参考のために、そしてあるセクションの位置付けを助けるためにこの中に含まれる。これらのヘッディングはその中に下記された概念の範囲を制限するつもりはなく、そしてこれらの概念は全体の明細書を通して他のセクション内に適応性を有することができる。
【０２５２】
開示された実施形態の前の説明は、この分野のいかなる技術者も本発明を製作または使用することを可能とするために提供される。これらの実施形態へのいろいろな変更は、この分野の技術者にはたやすく明白であるだろうし、その中に定義された包括的な原理はこの発明の精神または範囲から外れること無しに他の実施形態に適用されてもよい。従って、本発明はその中に示された実施形態に制限されるつもりはなく、しかしむしろこの中に開示された原理および新規な特徴と矛盾しない最も広い範囲が許容されるべきである。
【図１】
2010136397.tif 000005
【図２】
2010136397.tif 000006
【図３】
2010136397.tif 000007
【図４Ａ】
2010136397.tif 000008
【図４Ｂ】
2010136397.tif 000009
【図４Ｃ】
2010136397.tif 000010
【図４Ｄ】
2010136397.tif 000011
【図４Ｅ】
2010136397.tif 000012
【図４Ｆ】
2010136397.tif 000013
【図５Ａ】
2010136397.tif 000014
【図５Ｂ】
2010136397.tif 000015
【図５Ｃ】
2010136397.tif 000016
【図６】
2010136397.tif 000017
【手続補正書】
【提出日】平成22年1月25日(2010.1.25)
【手続補正１】
【補正対象書類名】特許請求の範囲
【補正対象項目名】全文
【補正方法】変更
【補正の内容】
【特許請求の範囲】
【請求項１】
無線通信システムにおいて同報サービスデータを複数の端末に同報通信するための方法であって、
前記複数の端末に伝送するための同報サービスデータを処理することと；
前記処理された同報サービスデータを第１の共通物理チャネル上で前記複数の端末に同報通信することと；
制御情報を第２の共通物理チャネル上で前記複数の端末に同報通信することと、なお、前記制御情報は、前記複数の端末が前記第１の共通物理チャネル上で受信された前記同報サービスデータをアクセスすることを可能とする；
を備えた方法。
【請求項２】
無線通信システムにおいて同報サービスデータを複数の端末に同報通信するための方法であって、
時分割多重（ＴＤＭ）共通物理チャネルにおいて、前記同報サービスデータを前記複数の端末に同報通信するために使用されるべき複数のフレームを決定することと；
前記複数の端末に伝送するための前記同報サービスデータを処理することと；
前記ＴＤＭ共通物理チャネルにおける前記複数のフレーム上で前記処理された同報サービスデータを前記複数の端末に同報通信するとともに、制御情報を別の共通物理チャネル上で前記複数の端末に同報通信することと、なお、前記制御情報は、前記複数の端末が前記ＴＤＭ共通物理チャネル上で受信された前記処理された同報サービスデータをアクセスすることを可能とする；
を備えた方法。
【請求項３】
前記複数の端末による正確な受信の可能性を改善するために、前記処理された同報サービスデータの同報通信を複数のフレームにわたって反復することをさらに備えた、請求項２に記載の方法。
【請求項４】
前記複数のフレームは、前記同報サービスデータを同報通信するために指定される、請求項２に記載の方法。
【請求項５】
前記複数のフレームは、前記同報サービスデータを同報通信するためにダイナミックに割り当てられる、請求項２に記載の方法。
【請求項６】
前記同報サービスデータを同報通信するためのダイナミックに割り当てられた複数のフレームを識別するためにシグナリングを送信することをさらに備えた、請求項５に記載の方法。
【請求項７】
無線通信システムにおける装置であって、
複数の端末に伝送するための同報サービスデータを処理するための手段と；
前記処理された同報サービスデータを第１の共通物理チャネル上で前記複数の端末に同報通信するための手段と；
制御情報を第２の共通物理チャネル上で前記複数の端末に同報通信するための手段と、なお、前記制御情報は、前記複数の端末が前記第１の共通物理チャネル上で受信された前記同報サービスデータをアクセスすることを可能とする；
を備えた装置。
【請求項８】
無線通信システムにおける装置であって、
時分割多重（ＴＤＭ）共通物理チャネルにおいて、同報サービスデータを複数の端末に同報通信するために使用されるべき複数のフレームを決定するための手段と；
前記複数の端末に伝送するための前記同報サービスデータを処理するための手段と；
前記ＴＤＭ共通物理チャネルにおける前記複数のフレーム上で前記処理された同報サービスデータを前記複数の端末に同報通信するとともに、制御情報を別の共通物理チャネル上で前記複数の端末に同報通信するための手段と、なお、前記制御情報は、前記複数の端末が前記ＴＤＭ共通物理チャネル上で受信された前記処理された同報サービスデータをアクセスすることを可能とする；
を備えた装置。
【請求項９】
前記複数の端末による正確な受信の可能性を改善するために、前記処理された同報サービスデータの同報通信を複数のフレームにわたって反復するための手段をさらに備えた、請求項８に記載の装置。
【請求項１０】
前記複数のフレームは、前記同報サービスデータを同報通信するために指定される、請求項８に記載の装置。
【請求項１１】
前記複数のフレームは、前記同報サービスデータを同報通信するためにダイナミックに割り当てられる、請求項８に記載の方法。
【請求項１２】
前記同報サービスデータを同報通信するためのダイナミックに割り当てられた複数のフレームを識別するためにシグナリングを送信するための手段をさらに備えた、請求項１１に記載の方法。
【請求項１３】
少なくとも１つのプロセッサを備えた無線通信装置であって、
前記少なくとも１つのプロセッサは、
時分割多重（ＴＤＭ）共通物理チャネルにおいて、同報サービスデータを複数の端末に同報通信するために使用されるべき複数のフレームを決定し；
前記複数の端末に伝送するための前記同報サービスデータを処理し；
前記ＴＤＭ共通物理チャネルにおける前記複数のフレーム上で前記処理された同報サービスデータを前記複数の端末に同報通信するとともに、制御情報を別の共通物理チャネル上で前記複数の端末に同報通信する、なお、前記制御情報は、前記複数の端末が前記ＴＤＭ共通物理チャネル上で受信された前記処理された同報サービスデータをアクセスすることを可能とする；ように構成された、
装置。
【請求項１４】
前記複数の端末による正確な受信の可能性を改善するために、前記処理された同報サービスデータの同報通信を複数のフレームにわたって反復するように構成された前記プロセッサをさらに備えた、請求項１３に記載の装置。
【請求項１５】
前記同報サービスデータを同報通信するためのダイナミックに割り当てられた複数のフレームを識別するためにシグナリングを送信するように構成された前記プロセッサをさらに備えた、請求項１３に記載の方法。
【外国語明細書】
2010136397000001.pdf